(57)【要約】  本発明の実施例は情報伝送方法及び装置を提供し、該方法は、端末装置が前記ネットワーク機器から送信された状態指示情報を受信し、前記状態指示情報は前記ネットワーク機器が起動状態から遮断状態に変換するように指示することに用いられることと、前記端末装置が前記状態指示情報に基づいてセル選択を行うことと、を含み、端末装置はネットワーク機器の状態を把握でき、更にネットワーク機器の状態に応じてデータ伝送を通常行うことができる。
2019532526.tif 000002
【特許請求の範囲】
【請求項１】
情報伝送方法であって、
端末装置がネットワーク機器から送信された状態指示情報を受信し、前記状態指示情報が、前記ネットワーク機器が起動状態から遮断状態に変換するように指示することに用いられることと、
前記端末装置が前記状態指示情報に基づいてセル選択を行うことと、を含むことを特徴とする情報伝送方法。
【請求項２】
前記端末装置が前記ネットワーク機器から送信された状態指示情報を受信することは、
前記端末装置がページングメッセージを受信する時点で前記ネットワーク機器から送信された前記状態指示情報を受信することを含むことを特徴とする請求項１に記載の方法。
【請求項３】
前記端末装置が前記ネットワーク機器から送信された状態指示情報を受信することは、
前記端末装置が周期的に又はページングメッセージを受信する時点でタイマーを起動し、前記タイマーがタイムアウトになると、前記端末装置が前記ネットワーク機器から送信された前記状態指示情報を受信することを含むことを特徴とする請求項１に記載の方法。
【請求項４】
前記端末装置が前記ネットワーク機器から送信された状態指示情報を受信することは、
前記端末装置がネットワーク機器からページングメッセージによって送信された前記状態指示情報を受信することを含むことを特徴とする請求項１〜３のいずれか一項に記載の方法。
【請求項５】
前記端末装置が前記ネットワーク機器から送信された状態指示情報を受信することは、
前記端末装置がネットワーク機器からシステムメッセージによって送信された前記状態指示情報を受信することを含むことを特徴とする請求項１〜３のいずれか一項に記載の方法。
【請求項６】
前記端末装置がネットワーク機器からシステムメッセージによって送信された前記状態指示情報を受信する前に、前記方法は、更に、
前記端末装置が前記ネットワーク機器から送信されたページングメッセージを受信することを含み、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、
前記端末装置がネットワーク機器からシステムメッセージによって送信された前記ネットワーク機器の状態指示情報を受信することは、
前記端末装置が前記変更指示情報に基づいてネットワーク機器からシステムメッセージによって送信された前記ネットワーク機器の状態指示情報を受信することを含むことを特徴とする請求項５に記載の方法。
【請求項７】
前記端末装置がネットワーク機器から送信された状態指示情報を受信することは、
前記端末装置が前記ネットワーク機器から物理チャネル又はメディアアクセス制御プロトコルデータユニットＭＡＣ  ＰＤＵによって送信された前記ネットワーク機器の状態指示情報を受信することを含むことを特徴とする請求項１〜３のいずれか一項に記載の方法。
【請求項８】
前記状態指示情報は前記ネットワーク機器が遮断された時間長情報を指示するための第一時間指示情報を含むことを特徴とする請求項１〜７のいずれか一項に記載の方法。
【請求項９】
前記状態指示情報は更に第二時間指示情報を含み、前記第二時間指示情報は前記端末装置が前記状態指示情報を受信した時の第一時間帯の後に前記ネットワーク機器を遮断するように指示することに用いられることを特徴とする請求項１〜８のいずれか一項に記載の方法。
【請求項１０】
前記端末装置はアイドル状態の端末装置であり、又は、前記端末装置は非アクティブ状態の端末装置であることを特徴とする請求項１〜９のいずれか一項に記載の方法。
【請求項１１】
情報伝送方法であって、
端末装置が第一物理リソースブロックにおいてネットワーク機器から送信された第一情報を受信したかどうかによって前記ネットワーク機器の状態を決定し、前記ネットワーク機器の状態が遮断状態及び起動状態を含むことと、
前記端末装置が、前記ネットワーク機器が前記遮断状態にあると決定する場合、前記端末装置がセル選択を行うことと、を含むことを特徴とする情報伝送方法。
【請求項１２】
前記端末装置が第一物理リソースブロックにおいてネットワーク機器から送信された第一情報を受信したかどうかによって前記ネットワーク機器の状態を決定することは、
前記端末装置が前記第一物理リソースブロックにおいて前記第一情報を受信していない場合、前記端末装置が、前記ネットワーク機器が遮断状態にあると決定することを含むことを特徴とする請求項１１に記載の方法。
【請求項１３】
前記端末装置が前記第一物理リソースブロックにおいて前記第一情報を受信していない場合、前記端末装置が前記ネットワーク機器の遮断状態にあると決定することは、
前記端末装置がページングメッセージを受信する時点で前記第一物理リソースブロックにおいて前記第一情報を受信していない場合、前記端末装置が前記ネットワーク機器の前記遮断状態にあると決定することを含むことを特徴とする請求項１２に記載の方法。
【請求項１４】
情報伝送方法であって、
ネットワーク機器が端末装置に前記ネットワーク機器の状態指示情報を送信し、前記状態指示情報が、前記ネットワーク機器が起動状態から遮断状態に変換するように指示することに用いられ、それにより前記端末装置が前記状態指示情報に基づいてセル選択を行うことと、
前記ネットワーク機器が前記起動状態から前記遮断状態に変換することと、を含むことを特徴とする情報伝送方法。
【請求項１５】
前記ネットワーク機器が端末装置に前記ネットワーク機器の状態指示情報を送信することは、
前記ネットワーク機器がページングメッセージを送信する時点で前記端末装置に前記状態指示情報を送信することを含むことを特徴とする請求項１４に記載の方法。
【請求項１６】
前記ネットワーク機器が端末装置に前記ネットワーク機器の状態指示情報を送信することは、
前記ネットワーク機器が周期的に又はページングメッセージを送信する時点でタイマーを起動し、前記タイマーがタイムアウトになると、前記ネットワーク機器が前記端末装置に前記状態指示情報を送信することを含むことを特徴とする請求項１４に記載の方法。
【請求項１７】
前記ネットワーク機器が端末装置に前記ネットワーク機器の状態指示情報を送信することは、
前記ネットワーク機器がページングメッセージによって前記端末装置に前記状態指示情報を送信することを含むことを特徴とする請求項１４〜１６のいずれか一項に記載の方法。
【請求項１８】
前記ネットワーク機器が端末装置に前記ネットワーク機器の状態指示情報を送信することは、
前記ネットワーク機器がシステムメッセージによって前記端末装置に前記状態指示情報を送信することを含むことを特徴とする請求項１４〜１６のいずれか一項に記載の方法。
【請求項１９】
前記ネットワーク機器がシステムメッセージによって前記端末装置に前記状態指示情報を送信する前に、前記方法は、更に、
前記ネットワーク機器が前記端末装置にページングメッセージを送信することを含み、前記ページングメッセージにシステムメッセージの変更指示情報を含めており、前記変更指示情報は前記システムメッセージに前記ネットワーク機器の状態指示情報を含めていることを指示することに用いられ、又は、前記変更指示情報は前記システムメッセージを既に変更したことを指示することに用いられ、
前記ネットワーク機器がシステムメッセージによって前記端末装置に前記状態指示情報を送信することは、
前記ネットワーク機器が前記変更指示情報に基づいて前記システムメッセージによって前記端末装置に前記状態指示情報を送信することを含むことを特徴とする請求項１８に記載の方法。
【請求項２０】
前記ネットワーク機器が端末装置に前記ネットワーク機器の状態指示情報を送信することは、
前記ネットワーク機器が物理チャネル又はメディアアクセス制御プロトコルデータユニットＭＡＣ  ＰＤＵによって前記端末装置に前記状態指示情報を送信することを含むことを特徴とする請求項１４〜１６のいずれか一項に記載の方法。
【請求項２１】
前記状態指示情報は前記ネットワーク機器が遮断された時間長情報を指示するための第一時間指示情報を含むことを特徴とする請求項１４〜２０のいずれか一項に記載の方法。
【請求項２２】
前記状態指示情報は更に第二時間指示情報を含み、前記第二時間指示情報は前記端末装置が前記状態指示情報を受信した時の第一時間帯の後に前記ネットワーク機器を遮断するように指示することに用いられることを特徴とする請求項１４〜２１のいずれか一項に記載の方法。
【請求項２３】
前記端末装置はアイドル状態の端末装置であり、又は、前記端末装置は非アクティブ状態の端末装置であることを特徴とする請求項１４〜２２のいずれか一項に記載の方法。
【請求項２４】
情報伝送方法であって、
ネットワーク機器が起動状態にあるとき、前記ネットワーク機器が第一リソースブロックにおいて端末装置に第一情報を送信することと、
前記ネットワーク機器が遮断状態にあるとき、前記ネットワーク機器が前記第一リソースブロックにおいて前記端末装置に前記第一情報を送信しないと決定することと、を含むことを特徴とする情報伝送方法。
【請求項２５】
前記ネットワーク機器が起動状態にあるとき、前記ネットワーク機器が前記第一リソースブロックにおいて前記端末装置に第一情報を送信することは、
前記ネットワーク機器が起動状態にあるとき、ページングメッセージを送信する時点で前記第一リソースブロックにおいて前記端末装置に前記第一情報を送信することを含み、
前記ネットワーク機器が遮断状態にあるとき、前記ネットワーク機器が前記第一リソースブロックにおいて前記端末装置に前記第一情報を送信しないことは、
前記ネットワーク機器が遮断状態にあるとき、前記ページングメッセージを送信する時点で前記ネットワーク機器が前記第一リソースブロックにおいて前記端末装置に前記第一情報を送信しないことを含むことを特徴とする請求項２４に記載の方法。
【請求項２６】
情報伝送装置であって、
ネットワーク機器から送信された、前記ネットワーク機器が起動状態から遮断状態に変換するように指示するための状態指示情報を受信するための受信モジュールと、
前記状態指示情報に基づいてセル選択を行うための選択モジュールと、を含むことを特徴とする情報伝送装置。
【請求項２７】
前記受信モジュールは、具体的に、
ページングメッセージを受信する時点で前記ネットワーク機器から送信された前記状態指示情報を受信することに用いられることを特徴とする請求項２６に記載の装置。
【請求項２８】
前記装置は、更に、
周期的に又はページングメッセージを受信する時点でタイマーを起動するための起動モジュールを含み、
前記受信モジュールは、具体的に、更に、前記タイマーがタイムアウトになると、前記ネットワーク機器から送信された前記状態指示情報を受信することに用いられることを特徴とする請求項２６に記載の装置。
【請求項２９】
前記受信モジュールは、具体的に、更に、
ネットワーク機器からページングメッセージによって送信された前記状態指示情報を受信することに用いられることを特徴とする請求項２６〜２８のいずれか一項に記載の装置。
【請求項３０】
前記受信モジュールは、具体的に、更に、
ネットワーク機器からシステムメッセージによって送信された前記状態指示情報を受信することに用いられることを特徴とする請求項２６〜２９のいずれか一項に記載の装置。
【請求項３１】
前記受信モジュールは、更に、
ネットワーク機器からシステムメッセージによって送信された前記状態指示情報を受信する前に、前記ネットワーク機器から送信されたページングメッセージを受信することに用いられ、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、
前記受信モジュールは、具体的に、更に、前記変更指示情報に基づいてネットワーク機器からシステムメッセージによって送信された前記ネットワーク機器の状態指示情報を受信することに用いられることを特徴とする請求項３０に記載の装置。
【請求項３２】
前記受信モジュールは、具体的に、更に、
前記ネットワーク機器が物理チャネル又はメディアアクセス制御プロトコルデータユニットＭＡＣ  ＰＤＵによって送信された前記ネットワーク機器の状態指示情報を受信することに用いられることを特徴とする請求項２６〜２９のいずれか一項に記載の装置。
【請求項３３】
前記状態指示情報は前記ネットワーク機器が遮断された時間長情報を指示するための第一時間指示情報を含むことを特徴とする請求項２６〜３２のいずれか一項に記載の装置。
【請求項３４】
前記状態指示情報は更に前記装置が前記状態指示情報を受信した時の第一時間帯の後に前記ネットワーク機器を遮断するように指示するための第二時間指示情報を含むことを特徴とする請求項２６〜３３のいずれか一項に記載の装置。
【請求項３５】
前記装置はアイドル状態の装置であり、又は、前記装置は非アクティブ状態の装置であることを特徴とする請求項２６〜３４のいずれか一項に記載の装置。
【請求項３６】
情報伝送装置であって、
第一物理リソースブロックにおいてネットワーク機器から送信された第一情報を受信したかどうかによって前記ネットワーク機器の状態を決定することに用いられ、前記ネットワーク機器の状態は遮断状態及び起動状態を含む決定モジュールと、
前記ネットワーク機器が前記遮断状態にあると決定する場合、セル選択を行うための選択モジュールと、を含むことを特徴とする情報伝送装置。
【請求項３７】
前記決定モジュールは、具体的に、
前記第一物理リソースブロックにおいて前記第一情報を受信していない場合、前記ネットワーク機器が遮断状態にあると決定することに用いられることを特徴とする請求項３６に記載の装置。
【請求項３８】
前記決定モジュールは、具体的に、更に、
ページングメッセージを受信する時点で、前記第一物理リソースブロックにおいて前記第一情報を受信していない場合、前記ネットワーク機器が前記遮断状態にあると決定することに用いられることを特徴とする請求項３７に記載の装置。
【請求項３９】
情報伝送装置であって、
端末装置に前記装置の状態指示情報を送信することに用いられ、前記状態指示情報は前記装置が起動状態から遮断状態に変換するように指示することに用いられ、それにより前記端末装置が前記状態指示情報に基づいてセル選択を行う送信モジュールと、
前記装置を前記起動状態から前記遮断状態に変換するための変換モジュールと、を含むことを特徴とする情報伝送装置。
【請求項４０】
前記送信モジュールは、具体的に、
ページングメッセージを送信する時点で前記端末装置に前記状態指示情報を送信することに用いられることを特徴とする請求項３９に記載の装置。
【請求項４１】
前記装置は、更に、
周期的に又はページングメッセージを送信する時点でタイマーを起動するための起動モジュールを含み、
送信モジュールは、具体的に、更に、前記タイマーがタイムアウトになると、前記端末装置に前記状態指示情報を送信することに用いられることを特徴とする請求項３９に記載の装置。
【請求項４２】
前記送信モジュールは、具体的に、
ページングメッセージによって前記端末装置に前記状態指示情報を送信することに用いられることを特徴とする請求項３９〜４１のいずれか一項に記載の装置。
【請求項４３】
前記送信モジュールは、具体的に、更に、
システムメッセージによって前記端末装置に前記状態指示情報を送信することに用いられることを特徴とする請求項３９〜４１のいずれか一項に記載の装置。
【請求項４４】
前記送信モジュールは、更に、
システムメッセージによって前記端末装置に前記状態指示情報を送信する前に、前記端末装置にページングメッセージを送信することに用いられ、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、
前記送信モジュールは、具体的に、更に、前記変更指示情報に基づいて前記システムメッセージによって前記端末装置に前記状態指示情報を送信することに用いられることを特徴とする請求項４３に記載の装置。
【請求項４５】
前記送信モジュールは、具体的に、更に、
物理チャネル又はメディアアクセス制御プロトコルデータユニットＭＡＣ  ＰＤＵによって前記端末装置に前記状態指示情報を送信することに用いられることを特徴とする請求項３９〜４１のいずれか一項に記載の装置。
【請求項４６】
前記状態指示情報は前記装置が遮断された時間長情報を指示するための第一時間指示情報を含むことを特徴とする請求項３９〜４５のいずれか一項に記載の装置。
【請求項４７】
前記状態指示情報は更に前記端末装置が前記状態指示情報を受信した時の第一時間帯の後に前記装置を遮断するように指示するための第二時間指示情報を含むことを特徴とする請求項３９〜４６のいずれか一項に記載の装置。
【請求項４８】
前記端末装置はアイドル状態の端末装置であり、又は、前記端末装置は非アクティブ状態の端末装置であることを特徴とする請求項３９〜４７のいずれか一項に記載の装置。
【請求項４９】
情報伝送装置であって、
前記装置が起動状態にあるとき、第一リソースブロックにおいて前記端末装置に第一情報を送信するための送信モジュールと、
前記装置が遮断状態にあるとき、前記第一リソースブロックにおいて前記端末装置に前記第一情報を送信しないと決定するための決定モジュールと、を含むことを特徴とする情報伝送装置。
【請求項５０】
前記送信モジュールは、具体的に、
前記装置が起動状態にあるとき、ページングメッセージを送信する時点で前記第一リソースブロックにおいて前記端末装置に前記第一情報を送信することに用いられ、
前記決定モジュールは、具体的に、
前記装置が遮断状態にあるとき、前記ページングメッセージを送信する時点で前記第一リソースブロックにおいて前記端末装置に前記第一情報を送信しないと決定することに用いられることを特徴とする請求項４９に記載の装置。
【発明の詳細な説明】
【技術分野】
【０００１】
本発明は、通信分野に関し、特に通信分野における情報伝送方法及び装置に関する。
【背景技術】
【０００２】
従来の通信システムにおいて、一定の条件においてネットワーク機器を遮断する必要があり、例えば節電のために遮断する必要があるが、端末装置がネットワーク機器の状態を把握できない恐れがある。ネットワーク機器が遮断状態にあるが、端末装置はネットワーク機器が遮断状態にあることを把握できない場合、端末装置は依然として遮断状態にあるネットワーク機器にデータを送信すると、ネットワーク機器はデータを受信できず、又は、端末装置はネットワーク機器が遮断状態にあることを把握せずに、また特定の時点にネットワークから送信されるデータを待つと、データを正常に端末装置に受信できず又は端末装置から送信できず、このため、データを通常伝送することができない。
【発明の概要】
【発明が解決しようとする課題】
【０００３】
本発明の実施例は情報伝送方法及び装置を提供し、端末装置はネットワーク機器の状態を把握し、更にネットワーク機器の状態に応じてデータ伝送を通常行うことができる。
【課題を解決するための手段】
【０００４】
第一態様は情報伝送方法を提供し、当該方法は、端末装置が前記ネットワーク機器から送信された状態指示情報を受信し、前記状態指示情報が、前記ネットワーク機器が起動状態から遮断状態に変換するように指示することに用いられることと、前記端末装置が前記状態指示情報に基づいてセル選択を行うことと、を含む。
【０００５】
従って、端末装置は状態指示情報に基づいてネットワーク機器が起動状態から遮断状態に変換すると決定することができ、ほかのセルに存在するように選択又は再選択することができ、このように、端末装置はほかのセル内にデータ伝送を通常行うように確保することができる。無論、端末装置はネットワーク機器の状態を把握したとき、データ伝送を必要とせずに依然としてネットワーク機器のカバレッジセルに位置できる。
【０００６】
更に、アイドル状態又は非アクティブ状態にある端末装置については、ネットワーク機器を遮断する必要がある場合、アイドル状態又は非アクティブ状態にある端末装置がネットワーク機器の状態を把握できないため、従って、ネットワーク機器の状態指示情報をアイドル状態又は非アクティブ状態の端末装置に送信し、このように、アイドル状態又は非アクティブ状態の端末装置はネットワーク機器の状態に応じて新しいセルに存在するように選択することができ、無論、アイドル状態又は非アクティブ状態の端末装置はデータ伝送を行う必要があるとき、新しいセルに存在するように選択することができ、アイドル状態又は非アクティブ状態の端末装置はデータ伝送の必要がないときに依然として現在のネットワーク機器のセルに位置してもよい。
【０００７】
第一態様の第一可能な実現方式では、前記端末装置が前記ネットワーク機器から送信された前記状態指示情報を受信する前に、前記方法は、更に、前記端末装置が前記状態指示情報を受信する第一受信時点を決定することを含み、前記端末装置が前記ネットワーク機器から送信された前記状態指示情報を受信することは、前記端末装置が前記第一受信時点で前記ネットワーク機器から送信された前記状態指示情報を受信することを含む。
【０００８】
選択的に、端末装置は状態指示情報を受信する第一受信時点が従来技術におけるほかの情報を受信する時点、例えばページングメッセージを受信する時点であってもよいと決定し、第一受信時点は周期的時点、又は非周期的時点、又は周期的と非周期的とが交替する時点であってもよいし、受信を許可する１つの時間帯内のいずれか１つの時点であってもよく、状態指示情報を受信する具体的な時点はネットワークに設定されてもよいし、プロトコルに規定されてもよい。
【０００９】
第一態様の上記可能な実現方式を参照して、第一態様の第二可能な実現方式では、前記端末装置が前記ネットワーク機器から送信された状態指示情報を受信することは、前記端末装置がページングメッセージを受信する時点で前記ネットワーク機器から送信された前記状態指示情報を受信することを含む。
【００１０】
第一態様の上記可能な実現方式を参照して、第一態様の第三可能な実現方式では、前記端末装置が前記ネットワーク機器から送信された状態指示情報を受信することは、前記端末装置がタイマーを周期的に起動し、又はページングメッセージを受信する時点でタイマーを起動し、前記タイマーがタイムアウトになると、前記端末装置が前記ネットワーク機器から送信された前記状態指示情報を受信することを含む。
【００１１】
タイマーの時間長はネットワークに設定された時間長であってもよいし、プロトコルに規定された時間長であってもよい。
【００１２】
第一態様の上記可能な実現方式を参照して、第一態様の第四実現方式では、前記端末装置が前記ネットワーク機器から送信された前記状態指示情報を受信することは、前記端末装置がネットワーク機器からページングメッセージによって送信された前記状態指示情報を受信することを含む。
【００１３】
第一態様の上記可能な実現方式を参照して、第一態様の第五実現方式では、前記端末装置が前記ネットワーク機器から送信された前記状態指示情報を受信することは、前記端末装置がネットワーク機器からシステムメッセージによって送信された前記状態指示情報を受信することを含む。
【００１４】
第一態様の上記可能な実現方式を参照して、第一態様の第六実現方式では、前記端末装置がネットワーク機器からシステムメッセージによって送信された前記状態指示情報を受信する前に、前記方法は、更に、前記端末装置が前記ネットワーク機器から送信されたページングメッセージを受信することを含み、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、前記端末装置がネットワーク機器からシステムメッセージによって送信された前記ネットワーク機器の状態指示情報を受信することは、前記端末装置が前記変更指示情報に基づいてネットワーク機器からシステムメッセージによって送信された前記ネットワーク機器の状態指示情報を受信することを含む。
【００１５】
つまり、従来のページングメッセージにシステムメッセージを既に変更した変更指示情報を含めることによってシステムメッセージを既に変更したことを通知し、又は、システムメッセージに新しい状態指示情報を追加したことを通知することにより、状態情報をシステムメッセージに含めていることを端末装置に通知する。
【００１６】
第一態様の上記可能な実現方式を参照して、第一態様の第七実現方式では、前記端末装置がネットワーク機器から送信された前記状態指示情報を受信することは、前記端末装置が前記ネットワーク機器から物理チャネル又はメディアアクセス制御プロトコルデータユニットＭＡＣ  ＰＤＵによって送信された前記ネットワーク機器の状態指示情報を受信することを含む。
【００１７】
第一態様の上記可能な実現方式を参照して、第一態様の第八実現方式では、前記状態指示情報は第一時間指示情報を含み、前記第一時間指示情報は前記ネットワーク機器が遮断された時間長情報を指示することに用いられ、該第一時間指示情報は例えばタイマーであってもよく、該タイマーがタイムアウトになると、ネットワーク機器が遮断状態から起動状態に変換すると見なされる。
【００１８】
端末装置は状態指示情報における第一時間指示情報に基づいてネットワークが遮断された時間長を決定することができ、端末装置がネットワーク機器の遮断時間長を把握した後、遮断時間長の後で、ネットワーク機器が遮断状態から起動状態に変換し、このように、端末装置は該ネットワーク機器におけるセルを改めて再選択し又は評価測定することができる。選択的に、端末装置がネットワーク機器の遮断時間長を取得した後、端末装置はネットワークが遮断された時間内にデータ伝送を行う必要がある場合、端末装置がほかのネットワーク機器のカバレッジセルに存在するように再選択し、端末装置はネットワーク機器が遮断された時間内にデータ伝送を行う必要がない場合、端末装置が該ネットワーク機器のカバレッジセルに存在し続けてもよい。
【００１９】
第一態様の上記可能な実現方式を参照して、第一態様の第九実現方式では、前記状態指示情報は更に第二時間指示情報を含み、前記第二時間指示情報は前記端末装置が前記状態指示情報を受信した時の第一時間帯の後に前記ネットワーク機器を遮断するように指示することに用いられる。
【００２０】
このように、端末装置はネットワーク機器が第一時間帯の後で遮断されることを把握することができ、端末装置は第一時間帯で未完了データを処理し、例えば該第一時間帯内でセルの再選択又はハンドオーバーを完了することにより、データの連続性を確保する。
【００２１】
第一態様の上記可能な実現方式を参照して、第一態様の第十実現方式では、前記端末装置はアイドル状態の端末装置であり、又は、前記端末装置は非アクティブ状態の端末装置である。
【００２２】
第二態様は情報伝送方法を提供し、該方法は、前記端末装置が第一物理リソースブロックにおいてネットワーク機器から送信された第一情報を受信したかどうかによって前記ネットワーク機器の状態を決定し、前記ネットワーク機器の状態が遮断状態及び起動状態を含むことと、前記端末装置が、前記ネットワーク機器が前記遮断状態にあると決定する場合、前記端末装置がセル選択を行うことと、を含む。
【００２３】
第二態様の第一可能な実現方式では、前記端末装置が第一物理リソースブロックにおいてネットワーク機器から送信された第一情報を受信したかどうかによって前記ネットワーク機器の状態を決定することは、前記端末装置が前記第一物理リソースブロックにおいて前記第一情報を受信していない場合、前記端末装置が前記ネットワーク機器の遮断状態にあると決定することを含む。
【００２４】
第二態様の上記可能な実現方式を参照して、第二態様の第二実現方式では、前記端末装置が前記第一物理リソースブロックにおいて前記第一情報を受信していない場合、前記端末装置が前記ネットワーク機器の遮断状態にあると決定することは、前記端末装置がページングメッセージを受信する時点で前記第一物理リソースブロックにおいて前記第一情報を受信していない場合、前記端末装置が前記ネットワーク機器の前記遮断状態にあると決定することを含む。
【００２５】
第二態様の上記可能な実現方式を参照して、第二態様の第三実現方式では、前記端末装置はアイドル状態の端末装置であり、又は、前記端末装置は非アクティブ状態の端末装置である。
【００２６】
第三態様は情報伝送方法を提供し、該方法は、ネットワーク機器が端末装置に前記ネットワーク機器の状態指示情報を送信し、前記状態指示情報は前記ネットワーク機器が起動状態から遮断状態に変換するように指示することに用いられ、それにより前記端末装置が前記状態指示情報に基づいてセル選択を行うことと、前記ネットワーク機器が起動状態から遮断状態に変換することと、を含む。
【００２７】
第三態様の第一可能な実現方式では、前記ネットワーク機器が端末装置に前記ネットワーク機器の状態指示情報を送信する前に、前記方法は、更に、前記ネットワーク機器が前記状態指示情報を送信する第一送信時点を決定することを含み、前記ネットワーク機器が端末装置に前記ネットワーク機器の状態指示情報を送信することは、前記ネットワーク機器が第一送信時点で前記端末装置に前記状態指示情報を送信することを含む。
【００２８】
第三態様の上記可能な実現方式を参照して、第三態様の第二実現方式では、前記ネットワーク機器が端末装置に前記ネットワーク機器の状態指示情報を送信することは、前記ネットワーク機器がページングメッセージを送信する時点で前記端末装置に前記状態指示情報を送信することを含む。
【００２９】
第三態様の上記可能な実現方式を参照して、第三態様の第三実現方式では、前記ネットワーク機器が端末装置に前記ネットワーク機器の状態指示情報を送信することは、前記ネットワーク機器が周期的に又はページングメッセージを送信する時点でタイマーを起動し、前記タイマーがタイムアウトになると、前記ネットワーク機器が前記端末装置に前記状態指示情報を送信することを含む。
【００３０】
第三態様の上記可能な実現方式を参照して、第三態様の第四実現方式では、前記ネットワーク機器が端末装置に前記ネットワーク機器の状態指示情報を送信することは、前記ネットワーク機器がページングメッセージによって前記端末装置に前記状態指示情報を送信することを含む。
【００３１】
第三態様の上記可能な実現方式を参照して、第三態様の第五実現方式では、前記ネットワーク機器が端末装置に前記ネットワーク機器の状態指示情報を送信することは、前記ネットワーク機器がシステムメッセージによって前記端末装置に前記状態指示情報を送信することを含む。
【００３２】
第三態様の上記可能な実現方式を参照して、第三態様の第六実現方式では、前記ネットワーク機器がシステムメッセージによって前記端末装置に前記状態指示情報を送信する前に、前記方法は、更に、前記ネットワーク機器が前記端末装置にページングメッセージを送信することを含み、前記ページングメッセージにシステムメッセージの変更指示情報を含めており、前記変更指示情報は前記システムメッセージに前記ネットワーク機器の状態指示情報を含めていることを指示することに用いられ、又は、前記変更指示情報は前記システムメッセージを既に変更したことを指示することに用いられ、前記ネットワーク機器がシステムメッセージによって前記端末装置に前記状態指示情報を送信することは、前記ネットワーク機器が前記変更指示情報に基づいて前記システムメッセージによって前記端末装置に前記状態指示情報を送信することを含む。
【００３３】
第三態様の上記可能な実現方式を参照して、第三態様の第七実現方式では、前記ネットワーク機器が端末装置に前記ネットワーク機器の状態指示情報を送信することは、前記ネットワーク機器が物理チャネル又はメディアアクセス制御プロトコルデータユニットＭＡＣ  ＰＤＵによって前記端末装置に前記状態指示情報を送信することを含む。
【００３４】
第三態様の上記可能な実現方式を参照して、第三態様の第八実現方式では、前記状態指示情報は前記ネットワーク機器が遮断された時間長情報を指示するための第一時間指示情報を含む。
【００３５】
第三態様の上記可能な実現方式を参照して、第三態様の第九実現方式では、前記状態指示情報は更に第二時間指示情報を含み、前記第二時間指示情報は前記端末装置が前記状態指示情報を受信したときの第一時間帯の後で前記ネットワーク機器を遮断するように指示することに用いられる。
【００３６】
第三態様の上記可能な実現方式を参照して、第三態様の第十実現方式では、前記端末装置はアイドル状態の端末装置であり、又は、前記端末装置は非アクティブ状態の端末装置である。
【００３７】
第四態様は情報伝送方法を提供し、該方法は、ネットワーク機器が起動状態にあるとき、前記ネットワーク機器が前記第一リソースブロックにおいて前記端末装置に第一情報を送信することと、前記ネットワーク機器が遮断状態にあるとき、前記ネットワーク機器が前記第一リソースブロックにおいて前記端末装置に前記第一情報を送信しないと決定することと、を含む。
【００３８】
第四態様の第一可能な実現方式では、前記ネットワーク機器が遮断状態にあるとき、前記ネットワーク機器が前記第一リソースブロックにおいて前記端末装置に前記第一情報を送信しないと決定することは、前記ネットワーク機器が起動状態にあるとき、ページングメッセージを送信する時点で前記第一リソースブロックにおいて前記端末装置に前記第一情報を送信することを含み、前記ネットワーク機器が遮断状態にあるとき、前記ネットワーク機器が前記第一リソースブロックにおいて前記端末装置に前記第一情報を送信しないと決定することは、前記ネットワーク機器が遮断状態にあるとき、前記ページングメッセージを送信する時点で前記ネットワーク機器が前記第一リソースブロックにおいて前記端末装置に前記第一情報を送信しないと決定することを含む。
【００３９】
第五態様は情報伝送装置を提供し、上記第一態様又は第一態様の任意の可能な実現方式の方法を実行することに用いられる。具体的に、該装置は上記第一態様又は第一態様の任意の可能な実現方式の方法を実行するためのユニットを含む。
【００４０】
第六態様は情報伝送装置を提供し、上記第二態様又は第二態様の任意の可能な実現方式の方法を実行することに用いられる。具体的に、該装置は上記第二態様又は第二態様の任意の可能な実現方式の方法を実行するためのユニットを含む。
【００４１】
第七態様は情報伝送装置を提供し、上記第三態様又は第三態様の任意の可能な実現方式の方法を実行することに用いられる。具体的に、該装置は上記第三態様又は第三態様の任意の可能な実現方式の方法を実行するためのユニットを含む。
【００４２】
第八態様は情報伝送装置を提供し、上記第四態様又は第四態様の任意の可能な実現方式の方法を実行することに用いられる。具体的に、該装置は上記第四態様又は第四態様の任意の可能な実現方式の方法を実行するためのユニットを含む。
【００４３】
第九態様は情報伝送装置を提供し、該装置は受信機、送信機、メモリ、プロセッサ及びバスシステムを備える。該受信機、該送信機、該メモリ及び該プロセッサは該バスシステムによって接続され、該メモリは命令を記憶することに用いられ、該プロセッサは該メモリに記憶される命令を実行することにより、信号を受信するように受信機を制御して、信号を送信するように送信機を制御することに用いられ、且つ、該プロセッサが該メモリに記憶される命令を実行するとき、該実行によって該プロセッサが第一態様又は第一態様の任意の可能な実現方式の方法を実行する。
【００４４】
第十態様は情報伝送装置を提供し、該装置は受信機、送信機、メモリ、プロセッサ及びバスシステムを備える。該受信機、該送信機、該メモリ及び該プロセッサは該バスシステムによって接続され、該メモリは命令を記憶することに用いられ、該プロセッサは該メモリに記憶される命令を実行することにより、信号を受信するように受信機を制御して、信号を送信するように送信機を制御することに用いられ、且つ、該プロセッサが該メモリに記憶される命令を実行するとき、該実行によって該プロセッサが第二態様又は第二態様の任意の可能な実現方式の方法を実行する。
【００４５】
第十一態様は情報伝送装置を提供し、該装置は受信機、送信機、メモリ、プロセッサ及びバスシステムを備える。該受信機、該送信機、該メモリ及び該プロセッサが該バスシステムによって接続され、該メモリは命令を記憶することに用いられ、該プロセッサは該メモリに記憶される命令を実行することにより、信号を受信するように受信機を制御して、信号を送信するように送信機を制御することに用いられ、且つ、該プロセッサが該メモリに記憶される命令を実行するとき、該実行によって該プロセッサが第三態様又は第三態様の任意の可能な実現方式の方法を実行する。
【００４６】
第十二態様は情報伝送装置を提供し、該装置は受信機、送信機、メモリ、プロセッサ及びバスシステムを備える。該受信機、該送信機、該メモリ及び該プロセッサが該バスシステムによって接続され、該メモリは命令を記憶することに用いられ、該プロセッサは該メモリに記憶される命令を実行することにより、信号を受信するように受信機を制御して、信号を送信するように送信機を制御することに用いられ、且つ、該プロセッサが該メモリに記憶される命令を実行するとき、該実行によって該プロセッサが第四態様又は第四態様の任意の可能な実現方式の方法を実行する。
【００４７】
第十三態様は情報伝送システムを提供し、第五態様に記載の装置及び第七態様に記載の装置を備える。
【００４８】
第十四態様は情報伝送システムを提供し、第六態様に記載の装置及び第八態様に記載の装置を備える。
【００４９】
第十五態様はコンピュータ可読媒体を提供し、第一態様又は第一態様の任意の可能な実現方式の方法を実行するための命令を含むコンピュータプログラムを記憶することに用いられる。
【００５０】
第十六態様はコンピュータ可読媒体を提供し、第二態様又は第二態様の任意の可能な実現方式の方法を実行するための命令を含むコンピュータプログラムを記憶することに用いられる。
【００５１】
第十七態様はコンピュータ可読媒体を提供し、第三態様又は第三態様の任意の可能な実現方式の方法を実行するための命令を含むコンピュータプログラムを記憶することに用いられる。
【００５２】
第十八態様はコンピュータ可読媒体を提供し、第四態様又は第四態様の任意の可能な実現方式の方法を実行するための命令を含むコンピュータプログラムを記憶することに用いられる。
【図面の簡単な説明】
【００５３】
本発明の実施例の技術案をより明確に説明するために、以下に実施例又は従来技術の記述において必要な図面を簡単に説明するが、当然ながら、以下に記載する図面は単に本発明の実施例の一例であって、当業者であれば、創造的な労力を払わない前提で、これらの図面に基づいて他の図面を得ることができる。
【００５４】
【図１】本発明の実施例の情報伝送方法の模式図である。
【図２】本発明の実施例のほかの情報伝送方法の模式図である。
【図３】本発明の実施例の別の情報伝送方法の模式図である。
【図４】本発明の実施例の別の情報伝送方法の模式図である。
【図５】本発明の実施例の情報伝送装置の模式的なブロック図である。
【図６】本発明の実施例のほかの情報伝送装置の模式的なブロック図である。
【図７】本発明の実施例の別の情報伝送装置の模式的なブロック図である。
【図８】本発明の実施例の別の情報伝送装置の模式的なブロック図である。
【図９】本発明の実施例の情報伝送システムの模式的なブロック図である。
【図１０】本発明の実施例のほかの情報伝送システムの模式的なブロック図である。
【図１１】本発明の実施例の情報伝送装置の模式的なブロック図である。
【図１２】本発明の実施例のほかの情報伝送装置の模式的なブロック図である。
【図１３】本発明の実施例の別の情報伝送装置の模式的なブロック図である。
【図１４】本発明の実施例の別の情報伝送装置の模式的なブロック図である。
【発明を実施するための形態】
【００５５】
以下に本発明の実施例における図面を参照しながら、本発明の実施例の技術案を明確且つ完全に説明し、明らかに、説明される実施例は本発明の実施例の一部であり、すべての実施例ではない。本発明の実施例に基づき、当業者が創造的な労働を払わずに得られたほかの実施例は、いずれも本発明の保護範囲に属する。
【００５６】
本発明の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称される）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称される）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称される）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称される）、ロングタームエボリューション（Ｌｏｎｇ  Ｔｅｒｍ  Ｅｖｏｌｕｔｉｏｎ、「ＬＴＥ」と略称される）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称される）システム、ＬＴＥ時分割複信（Ｔｉｍｅ  Ｄｉｖｉｓｉｏｎ  Ｄｕｐｌｅｘ、「ＴＤＤ」と略称される）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称される）又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称される）通信システム、及び将来出現可能な通信システム等に応用できると理解すべきである。
【００５７】
本発明の実施例において、端末装置はユーザ装置（Ｕｓｅｒ  Ｅｑｕｉｐｍｅｎｔ、「ＵＥ」と略称される）、端末装置、移動局（Ｍｏｂｉｌｅ  Ｓｔａｔｉｏｎ、「ＭＳ」と略称される）、モバイル端末（Ｍｏｂｉｌｅ  Ｔｅｒｍｉｎａｌ）又は将来５Ｇネットワークにおける端末装置等と称されてもよく、該端末装置は無線アクセスネットワーク（Ｒａｄｉｏ  Ａｃｃｅｓｓ  Ｎｅｔｗｏｒｋ、「ＲＡＮ」と略称される）経由で１つ又は複数のコアネットワークと通信することができ、例えば、端末は携帯電話（「セルラー」電話とも称される）又はモバイル端末を有するコンピュータ等であってもよいし、携帯型、小型、手持ち型、コンピュータが内蔵された又は車載のモバイルデバイスであってもよく、それらは無線アクセスネットワークと音声及び／又はデータを交換するとも理解すべきである。
【００５８】
ネットワーク機器はモバイルデバイスと通信することに用いることができ、ネットワーク機器はグローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称される）又は符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称される）における基地局（Ｂａｓｅ  Ｔｒａｎｓｃｅｉｖｅｒ  Ｓｔａｔｉｏｎ、「ＢＴＳ」と略称される）であってもよいし、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称される）における基地局（ＮｏｄｅＢ、「ＮＢ」と略称される）であってもよく、更にＬＴＥにおける発展型基地局（Ｅｖｏｌｕｔｉｏｎａｌ  Ｎｏｄｅ  Ｂ、「ｅＮＢ」又は「ｅＮｏｄｅＢ」と略称される）、又は中継局又はアクセスポイント、又は車載機器、ウェアラブルデバイス、及び将来５Ｇネットワークにおけるアクセスネットワーク装置であってもよい。
【００５９】
本発明の実施例において、ネットワーク機器の状態は起動状態から遮断状態への状態であってもよいし、無論、遮断状態から起動状態への状態であってもよく、更に起動状態と遮断状態との間にある状態であってもよく、将来ネットワークシステムに定義された状態であってもよく、本発明の実施例は制限しない。
【００６０】
本発明の実施例において、アイドル状態の端末装置とは、端末装置のコンテクスト情報がアクセスネットワーク装置側に保持されず、端末装置とアクセスネットワーク装置とが無線リソース制御（（Ｒａｄｉｏ  Ｒｅｓｏｕｒｃｅ  Ｃｏｎｔｒｏｌ、略称「ＲＲＣ」）接続を有せず、アクセスネットワーク装置とコアネットワーク装置との制御プレーン接続及びデータプレーン接続が解放されることを意味する。
【００６１】
本発明の実施例において、非アクティブ状態の端末装置とは、端末装置のコンテクスト情報の少なくとも一部がアクセスネットワーク装置側に保持され、アクセスネットワーク装置とコアネットワーク装置とが制御プレーン接続及びユーザプレーン接続を有するが、非アクティブ状態の端末装置がアクセスネットワーク装置にチャネル状態情報をリアルタイムに報告しなくてもよいことを意味し、このように、端末装置が移動するとき、コアネットワーク装置が端末装置の移動を感知しなくてもよく、例えば、端末装置が第一基地局のカバレッジ範囲から第二基地局のカバレッジ範囲に移動したとき、端末装置がより小さいデータを伝送する必要がある場合、第一基地局から第二基地局にハンドオーバーせずに、第二基地局によってデータを第一基地局に直接伝送することができ、このように、ハンドオーバーによるシグナリングオーバーヘッドを節約することができる。無論、非アクティブ状態の端末装置はバックグラウンドサービスの処理、パケット伝送、少量の接続管理等を行うことができる。
【００６２】
図１に本発明の実施例の情報伝送方法１００の模式的なフローチャートを示す。図１に情報伝送方法のステップ又は操作を示すが、これらのステップ又は操作は単なる例示的なものであり、本発明の実施例は更にほかの操作又は図１における各操作の変更を実行することができ、該方法１００は、
ネットワーク機器は端末装置に前記ネットワーク機器の状態指示情報を送信し、前記状態指示情報は前記ネットワーク機器が起動状態から遮断状態に変換するように指示することに用いられ、それにより前記端末装置が前記状態指示情報に基づいてセル選択を行うＳ１１０と、
ネットワーク機器は起動状態から遮断状態に変換するＳ１２０と、を含む。
【００６３】
図２に本発明の実施例の情報伝送方法２００の模式的なフローチャートを示す。図２に情報伝送方法のステップ又は操作を示すが、これらのステップ又は操作は単なる例示的なものであり、本発明の実施例は更にほかの操作又は図２における各操作の変更を実行することができ、該方法２００は、
端末装置はネットワーク機器から送信された状態指示情報を受信し、前記状態指示情報は前記ネットワーク機器が起動状態から遮断状態に変換するように指示することに用いられるＳ２１０と、
前記端末装置は前記状態指示情報に基づいてセル選択を行うＳ２２０と、を含む。
【００６４】
具体的に、ネットワーク機器は自体の状態指示情報を端末装置に送信し、端末装置は状態指示情報を受信し、状態指示情報に基づいてネットワーク機器が起動状態から遮断状態に変換すると決定することができ、端末装置はネットワーク機器の状態指示情報を取得すると、ほかのセルに存在するように選択又は再選択することができ、例えば、データ接続状態の端末装置は該状態指示情報に基づいてハンドオーバーすることができ、アイドル状態の端末装置は該状態指示情報に基づいてセル再選択を行うことができ、このように、端末装置がほかのセル内にデータ伝送を通常行うように確保することができる。無論、端末装置がネットワーク機器の状態を把握したとき、データ伝送を必要とせずに依然としてネットワーク機器のカバレッジセルに位置してもよい。
【００６５】
選択的に、ネットワーク機器が具体的にどのような方式でネットワーク機器の状態情報を端末装置に通知するかは、ネットワークプロトコルに規定されてもよいし、ネットワークに設定されてもよく、本発明の実施例は制限しない。例えば、ネットワーク機器及び端末装置は、プロトコルによって、ネットワーク機器が特定の第一物理リソースブロックにおいて特殊信号例えば第一情報を送信するとき、端末装置が第一物理リソースブロックにおいて該第一情報を受信することができる場合、現在、ネットワーク機器が起動状態にあると見なされ、端末装置が第一物理リソースブロックにおいて該第一情報を受信することができない場合、現在、ネットワーク機器が遮断状態にあると見なされ、端末装置がほかのセルに存在するように選択してもよいと規定してもよい。
【００６６】
一選択的な実施例として、前記状態指示情報は前記ネットワーク機器が遮断された時間長情報を指示するための第一時間指示情報を含み、このように、端末装置が状態指示情報を受信した後、ネットワーク機器が遮断された時間長に基づいてネットワーク機器の遮断時間を決定することができ、例えば該時間長情報はタイマーであってもよく、該タイマーがタイムアウトになると、端末装置はネットワーク機器が起動状態にあると見なしてもよく、該ネットワーク機器のカバレッジセルを改めて再選択し、又は該ネットワーク機器のカバレッジセルを改めて評価することにより、該ネットワーク機器のカバレッジセルに存在するように選択するかどうかを決定することができる。
【００６７】
一選択的な実施例として、前記状態指示情報は更に第二時間指示情報を含み、前記第二時間指示情報は前記端末装置が前記状態指示情報を受信したときの第一時間帯の後で前記ネットワーク機器を遮断するように指示することに用いられる。ネットワーク機器はネットワーク機器が第一時間帯の後で遮断される状態指示情報を含めてもよく、端末装置に状態指示情報を送信した後の第一時間帯でネットワーク機器が遮断される。端末装置は状態指示情報を受信した後、ネットワーク機器が遮断され、且つ第一時間帯の後で遮断されると決定することができる。例えば、タイマーを利用して該第一時間帯を決定することができ、タイマーがタイムアウトになると、ネットワーク機器が遮断される。
【００６８】
一選択的な実施例として、Ｓ１１０の前に、前記方法１００は更に前記ネットワーク機器が前記状態指示情報を送信する第一送信時点を決定することを含み、Ｓ１１０は前記ネットワーク機器が第一送信時点で前記端末装置へ前記状態指示情報を送信することを含み、Ｓ２１０の前に、前記方法２００は更に前記端末装置が前記状態指示情報を受信する第一受信時点を決定することを含み、Ｓ２１０は前記端末装置が前記第一受信時点で前記ネットワーク機器から送信された前記状態指示情報を受信することを含む。
【００６９】
具体的に、ネットワーク機器は第一送信時点で状態指示情報を送信することができ、端末装置は第一受信時点で状態指示情報を受信することができ、データ送信が遅延しない場合、第一送信時点及び第一受信時点が同じ時点であることができ、データ送信が遅延する場合、ネットワーク機器は遅延に基づいて状態指示情報を送信する第一送信時点を決定し、端末装置が第一受信時点で状態指示情報を受信できるように確保することができる。具体的に、第一送信時点及び第一受信時点がネットワークプロトコルに規定されてもよく、ネットワーク機器が第一受信時点を設定してもよく、これにより、ネットワーク機器が第一送信時点で状態指示情報を送信する際に、端末装置が第一受信時点で状態指示情報を受信できるように確保し、本発明の実施例はこれらに限らない。
【００７０】
ネットワーク機器は複数の端末装置に状態指示情報を送信することができ、このように、ネットワーク機器は同じ時点で複数の端末装置に状態指示情報を送信することができ、複数の端末装置は同じ時点でネットワーク機器から送信された状態指示情報を受信すると理解すべきである。又は、ネットワーク機器は複数の端末装置に状態指示情報を周期的に送信することができ、特定の端末装置は自体のウェイクアップ時点のみでネットワーク機器から送信された状態指示情報を受信する。
【００７１】
ネットワーク機器が状態指示情報を送信する第一送信時点をどのように決定するかは２つの方式を含んでもよく、端末装置が状態指示情報を受信する第一受信時点をどのように決定するかも２つの実現方式を含んでもよい。ネットワーク機器が状態指示情報を送信する第一送信時点を決定する第一実現方式では、ネットワーク機器はページングメッセージを送信する時点が状態指示情報を送信する第一送信時点であると決定する。端末装置が状態指示情報を受信する第一受信時点を決定する第一実現方式では、端末装置はネットワーク機器に設定されたページングサイクルに基づいて、ページングメッセージを受信する時点を決定し、端末装置はページングメッセージを受信する時点が状態指示情報を受信する第一受信時点であると決定する。ネットワーク機器が状態指示情報を送信する第一送信時点を決定する第二実現方式では、タイマーがタイムアウトになると、タイマーのタイムアウトになる時点が状態指示情報を送信する第一送信時点であると決定する。端末装置が状態指示情報を受信する第一受信時点を決定する第二実現方式では、タイマーがタイムアウトになると、タイマーのタイムアウトになる時点が第一受信時点であると決定する。
【００７２】
更に、プロトコルによって、ネットワーク機器及び端末装置のタイマーの時間長を規定してもよく、又はネットワーク機器が端末装置のためにタイマーの時間長を設定してもよい。端末装置のタイマーを周期的に起動してもよく、タイマーがタイムアウトになる時点は端末装置が状態指示情報を受信する第一受信時点であると決定し、又は、ページングメッセージを受信する時点でタイマーを起動し、タイマーがタイムアウトになる時点は状態指示情報を受信する第一受信時点である。ネットワーク機器のタイマーを周期的に起動してもよく、タイマーがタイムアウトになる時点はネットワーク機器が状態指示情報を送信する第一送信時点であると決定し、又は、ページングメッセージを送信する時点でタイマーを起動し、タイマーがタイムアウトになる時点は状態指示情報を送信する第一送信時点である。端末装置のタイマーを周期的に起動してもよく、タイマーがタイムアウトになる時点は端末装置が状態指示情報を受信する第一受信時点であると決定し、又は、ページングメッセージを受信する時点でタイマーを起動し、タイマーがタイムアウトになる時点は状態指示情報を受信する第一受信時点である。
【００７３】
無論、ネットワーク機器が状態指示情報を送信する第一送信時点を決定しなくてもよく、端末装置も状態指示情報を受信する第一受信時点を決定しなくてもよく、例えば、プロトコルによって状態指示情報を送信及び受信する時間を規定し、又は、ネットワークによって状態指示情報を送信及び受信する時間を設定する。選択的に、Ｓ１１０は前記ネットワーク機器がページングメッセージを送信する時点で前記端末装置に前記状態指示情報を送信することを含む。Ｓ２１０は前記端末装置がページングメッセージを受信する時点で前記ネットワーク機器から送信された前記状態指示情報を受信することを含む。選択的に、Ｓ１１０は前記ネットワーク機器がタイマーを周期的に起動し又はページングメッセージを送信する時点でタイマーを起動し、前記タイマーがタイムアウトになると、前記ネットワーク機器が前記端末装置に前記状態指示情報を送信することを含み、Ｓ２１０は前記端末装置がタイマーを周期的に起動し又はページングメッセージを受信する時点でタイマーを起動し、前記タイマーがタイムアウトになると、前記端末装置が前記ネットワーク機器から送信された前記状態指示情報を受信することを含む。
【００７４】
ネットワーク機器が端末装置に前記ネットワーク機器の状態指示情報を送信し、端末装置がネットワーク機器から送信された状態指示情報を受信することは、以下の４つの方式で実現される。
【００７５】
第一実現方式では、前記ネットワーク機器はページングメッセージによって前記端末装置に前記状態指示情報を送信し、前記端末装置はネットワーク機器がページングメッセージによって送信された前記状態指示情報を受信する。ネットワーク機器はページングメッセージを送信する時点で端末装置にページングメッセージを送信することができ、端末装置はページングメッセージを受信する時点でページングメッセージを受信し、ページングメッセージにおけるネットワーク機器の状態指示情報を取得する。選択的に、無論、ネットワーク機器が端末装置のためにページングメッセージを受信するタイマーを設定してもよいし、プロトコルに規定されたタイマーの設定時間に基づいて端末装置にページングメッセージを送信してもよく、端末装置がプロトコルに規定された又はネットワークに設定されたタイマーの設定時間に基づいてネットワーク機器から送信されたページングメッセージを受信する。
【００７６】
第二実現方式では、前記ネットワーク機器はシステムメッセージによって前記端末装置に前記状態指示情報を送信し、前記端末装置は前記ネットワーク機器からシステムメッセージによって送信された前記状態指示情報を受信する。無論、ネットワーク機器は端末装置のためにシステムメッセージを受信するタイマーを設定してもよいし、プロトコルに規定されたタイマーの設定時間に基づいて、タイムアウトになると、端末装置にシステムメッセージを送信してもよく、端末装置はプロトコルに規定された又はネットワークに設定されたタイマーの設定時間に基づいて、タイムアウトになると、ネットワーク機器から送信されたシステムメッセージを受信する。ネットワーク機器のタイマーを周期的に起動してもよく、端末装置のタイマーを周期的に起動してもよい。無論、タイマーの間隔が異なる時間長を設定してもよく、各異なる時間長がタイムアウトになると、タイマーを起動し、タイマーの起動時間を具体的に設定することは、ネットワークによって設定されてもよいし、プロトコルに規定されてもよく、本発明の実施例はこれらに限らない。選択的に、ネットワーク機器はページングメッセージを送信する時点で端末装置にシステムメッセージを送信することができ、端末装置はページングメッセージを受信する時点でシステムメッセージを受信し、システムメッセージにおけるネットワーク機器の状態指示情報を取得する。無論、ネットワーク機器は従来技術におけるシステムメッセージを送信する時点で端末装置に状態指示情報を含めているシステムメッセージを送信することができ、端末装置はシステムメッセージを受信する時点で状態指示情報を含めているシステムメッセージを受信する。
【００７７】
第三実現方式では、前記ネットワーク機器は端末装置にページングメッセージを送信し、前記ページングメッセージにシステムメッセージの変更指示情報を含めており、前記変更指示情報は前記システムメッセージに前記ネットワーク機器の状態指示情報を含めていることを指示することに用いられ、又は、前記変更指示情報は前記システムメッセージを既に変更したことを指示することに用いられ、次に前記ネットワーク機器は前記端末装置に変更後のシステムメッセージを送信し、該システムメッセージに状態指示情報を含めており、端末装置はネットワーク機器から送信されたページングメッセージを受信し、ページングメッセージにおけるシステムメッセージの変更指示情報に基づいてシステムメッセージを既に変更したと決定し、又はシステムメッセージに状態指示情報を含めていると決定し、次に端末装置は変更後のシステムメッセージを受信し、システムメッセージにおいて状態指示情報を決定する。具体的に、ネットワーク機器はページングメッセージを送信する時点で端末装置に変更指示情報を含めているページングメッセージを送信することができ、端末装置はページングメッセージを受信する時点で変更指示情報を含めているページングメッセージを受信し、ネットワーク機器はシステムメッセージを送信する時点で端末装置に状態指示情報を含めているシステムメッセージを送信することができ、端末装置はシステムメッセージを受信する時点でネットワーク機器から送信された状態指示情報を含めているシステムメッセージを受信する。選択的に、ネットワーク機器は第一タイマーがタイムアウトになると、端末装置に変更指示情報を含めているページングメッセージを送信し、端末装置は第二タイマーがタイムアウトになると、ネットワーク機器から送信された変更指示情報を含めているページングメッセージを受信し、ネットワーク機器は第三タイマーがタイムアウトになると、端末装置に状態指示情報を含めているシステムメッセージを送信し、端末装置は第四タイマーがタイムアウトになると、ネットワーク機器から送信された状態指示情報を含めているシステムメッセージを受信する。無論、第一タイマー及び第二タイマーに設定された時間長は同じであってもよいし、異なってもよく、第三タイマー及び第四タイマーに設定された時間長は同じであってもよいし、異なってもよい。選択的に、ネットワーク機器は第一タイマーがタイムアウトになると、端末装置に変更指示情報を含めているページングメッセージを送信することができ、端末装置は第二タイマーがタイムアウトになると、端末装置から送信された変更指示を含めているページングメッセージを受信することができ、無論、第一タイマー及び第二タイマーに設定された時間長は同じであってもよいし、異なってもよく、ネットワーク機器はシステムメッセージを送信する時点で端末装置に状態指示情報を含めているシステムメッセージを送信し、端末装置はシステムメッセージを受信する時点でネットワーク機器から送信された状態指示情報を含めているシステムメッセージを受信する。選択的に、ネットワーク機器はページングメッセージを送信する時点で変更指示情報を含めているページングメッセージを送信することができ、端末装置もページングメッセージを受信する時点で変更指示情報を含めているページングメッセージを受信することができ、ネットワーク機器はページングメッセージを送信する時点で状態指示情報を含めているシステムメッセージを送信することができ、端末装置はページングメッセージを受信する時点で状態指示情報を含めているシステムメッセージを受信することができる。
【００７８】
第四実現方式では、前記ネットワーク機器は物理チャネル又はメディアアクセス制御プロトコルデータユニット（Ｍｅｄｉａ  Ａｃｃｅｓｓ  Ｃｏｎｔｒｏｌ  Ｐｒｏｔｏｃｏｌ  Ｄａｔａ  Ｕｎｉｔ、「ＭＡＣ  ＰＤＵ」と略称される）によって前記端末装置に前記状態指示情報を送信し、前記端末装置は前記ネットワーク機器から物理チャネル又はＭＡＣ  ＰＤＵによって送信された前記ネットワーク機器の状態指示情報を受信する。ネットワーク機器はページングメッセージを送信する時点で物理チャネル又はＭＡＣ  ＰＤＵによって状態指示情報を送信することができ、端末装置はページングメッセージを受信する時点で物理チャネル又はＭＡＣ  ＰＤＵによって送信された状態指示情報を受信する。無論、ネットワーク機器は端末装置のために物理チャネル又はＭＡＣ  ＰＤＵによって状態指示情報を送信するタイマーを設定してもよいし、プロトコルに規定されたタイマーの設定時間に基づいて物理チャネル又はＭＡＣ  ＰＤＵによって端末装置に状態指示情報を送信してもよく、端末装置はプロトコルに規定された又はネットワークに設定されたタイマーの設定時間に基づいて、ネットワーク機器から物理チャネル又はＭＡＣ  ＰＤＵによって送信されたページングメッセージを受信する。
【００７９】
図３に本発明の実施例の情報伝送方法３００の模式的なフローチャートを示す。図３に情報伝送方法のステップ又は操作を示すが、これらのステップ又は操作は単なる例示的なものであり、本発明の実施例は更にほかの操作又は図３における各操作の変更を実行することができ、該方法３００は、
ネットワーク機器が起動状態にあるとき、前記ネットワーク機器は前記第一リソースブロックにおいて前記端末装置に第一情報を送信するＳ３１０と、
前記ネットワーク機器が遮断状態にあるとき、前記ネットワーク機器は前記第一リソースブロックにおいて前記端末装置に前記第一情報を送信しないＳ３２０と、を含む。
【００８０】
図４に本発明の実施例の情報伝送方法４００の模式的なフローチャートを示す。図４に情報伝送方法のステップ又は操作を示すが、これらのステップ又は操作は単なる例示的なものであり、本発明の実施例は更にほかの操作又は図４における各操作の変更を実行することができ、該方法４００は、
端末装置は第一物理リソースブロックにおいてネットワーク機器から送信された第一情報を受信したかどうかによって前記ネットワーク機器の状態を決定し、前記ネットワーク機器の状態は遮断状態及び起動状態を含むＳ４１０と、
前記端末装置は前記ネットワーク機器が前記遮断状態にあると決定する場合、前記端末装置はセル選択を行うＳ４２０と、を含む。
【００８１】
一選択的な実施例として、Ｓ４１０は前記端末装置が前記第一物理リソースブロックにおいて前記第一情報を受信していない場合、前記端末装置は前記ネットワーク機器が遮断状態にあると決定することを含む。該第一情報はネットワーク機器及び端末装置がいずれも識別できる、ネットワーク機器の状態を指示するための特殊信号である。
【００８２】
一選択的な実施例として、Ｓ４２０は前記ネットワーク機器が遮断状態にあるとき、前記ページングメッセージを送信する時点で前記ネットワーク機器が前記第一リソースブロックにおいて前記端末装置に前記第一情報を送信しないことを含む。前記端末装置が前記第一物理リソースブロックにおいて前記第一情報を受信していない場合、前記端末装置が前記ネットワーク機器が遮断状態にあると決定することは、前記端末装置がページングメッセージを受信する時点で前記第一物理リソースブロックにおいて前記第一情報を受信していない場合、前記端末装置は前記ネットワーク機器が前記遮断状態にあると決定することを含む。選択的に、Ｓ３１０は前記ネットワーク機器が起動状態にあるとき、ページングメッセージを送信する時点で前記第一リソースブロックにおいて前記端末装置に前記第一情報を送信することを含む。
【００８３】
ネットワーク機器が第一リソースブロックにおいて第一情報を送信するかどうか時点も、タイマーによって決定されてもよく、本発明の実施例はこれらに限らないと理解すべきである。
【００８４】
具体的に、ネットワーク機器は、例えばネットワーク機器に設定された又はプロトコルに規定された第一リソースブロックにおいて第一情報を送信し、例えばネットワーク機器は端末装置が第一リソースブロックにおいて第一情報を受信するように設定する。又は、プロトコルには、ネットワーク機器が第一リソースブロックにおいて第一情報を送信し、端末装置が第一リソースブロックにおいて第一情報を受信すると規定し、本発明の実施例はこれらに限らない。無論、ネットワーク機器は、端末装置が特定の時間帯内に第一情報を複数回受信していない場合、端末装置がネットワーク機器の遮断状態にあると決定するように設定してもよく、その理由は、ネットワーク輻輳等のため、ネットワーク機器が第一情報を端末装置に時間通りに送信できない恐れがあるためであり、従って、第一情報を受信する回数閾値を設定することができ、該回数閾値より大きい場合、ネットワーク機器が遮断状態にあると見なされ、該回数閾値より小さい場合、ネットワーク機器が起動状態にあると見なされ、本発明の実施例は制限しない。
【００８５】
一選択的な実施例として、前記端末装置はアイドル状態の端末装置であり、又は前記端末装置は非アクティブ状態の端末装置であり、データ接続状態にある可能性のある端末装置及びネットワーク機器は接続状態の端末装置との間のデータシグナリングインタラクションによって端末装置に通知するが、アイドル状態又は非アクティブ状態の端末装置に対して、ネットワーク機器は端末装置に通知できず、従って、本発明の実施例においてページングメッセージに状態指示情報を含め、又はシステムメッセージに状態指示情報を含め、又は物理チャネルによって状態指示情報を含め、又はＭＡＣ  ＰＤＵによって状態指示情報を含めることによって、アイドル状態又は非アクティブ状態にある端末装置にネットワークの状態を通知し、このように、アイドル状態又は非アクティブ状態の端末装置はほかのセルに存在するように再選択し、更にデータ伝送を通常行うように確保することができる。
【００８６】
本発明の実施例に記載のタイマーはネットワーク機器が端末装置のために設定されたタイマーの時間長であってもよいし、プロトコルに規定されたタイマーの時間長であってもよく、本発明の実施例はこれらに限らないと理解すべきである。
【００８７】
本発明の実施例における状態指示情報の送信及び受信方式は単なる例示的なものであり、ネットワーク機器は状態指示情報を任意の層、具体的に無線リソース制御（Ｒａｄｉｏ  Ｒｅｓｏｕｒｃｅ  Ｃｏｎｔｒｏｌ、「ＲＲＣ」と略称される）層、メディアアクセス制御（Ｍｅｄｉａ  Ａｃｃｅｓｓ  Ｃｏｎｔｒｏｌ、「ＭＡＣ」と略称される）層又は物理層等にパケット化して端末装置に送信することができ、本発明の実施例はこれらに限らないとも理解すべきである。
【００８８】
以上は図１〜図４を参照しながら本発明の実施例の情報伝送方法を説明したが、以下に図５〜図１４を参照しながら本発明の実施例における情報伝送装置及びシステムを説明する。
【００８９】
図５に本発明の実施例に係る情報伝送装置５００の模式図を示し、該装置は例えば方法２００における端末装置であってもよく、該装置５００は、
前記ネットワーク機器から送信された、前記ネットワーク機器が起動状態から遮断状態に変換するように指示するための状態指示情報を受信するための受信モジュール５１０と、
前記状態指示情報に基づいてセル選択を行うための選択モジュール５２０と、を含む。
【００９０】
一選択的な実施例として、前記受信モジュール５１０は、具体的に、ページングメッセージを受信する時点で前記ネットワーク機器から送信された前記状態指示情報を受信することに用いられる。
【００９１】
一選択的な実施例として、前記装置５００は、周期的に又はページングメッセージを受信する時点でタイマーを起動するための起動モジュールを更に含み、前記受信モジュール５１０は、具体的に、更に、前記タイマーがタイムアウトになると、前記ネットワーク機器から送信された前記状態指示情報を受信することに用いられる。
【００９２】
一選択的な実施例として、前記受信モジュール５１０は、具体的に、更に、ネットワーク機器からページングメッセージによって送信された前記状態指示情報を受信することに用いられる。
【００９３】
一選択的な実施例として、前記受信モジュール５１０は、具体的に、更に、ネットワーク機器からシステムメッセージによって送信された前記状態指示情報を受信することに用いられる。
【００９４】
一選択的な実施例として、前記受信モジュール５１０は、更に、ネットワーク機器からシステムメッセージによって送信された前記状態指示情報を受信する前に、前記ネットワーク機器から送信されたページングメッセージを受信することに用いられ、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、前記受信モジュール５１０は、具体的に、更に、前記変更指示情報に基づいてネットワーク機器からシステムメッセージによって送信された前記ネットワーク機器の状態指示情報を受信することに用いられる。
【００９５】
一選択的な実施例として、前記受信モジュール５１０は、具体的に、更に、前記ネットワーク機器が物理チャネル又はメディアアクセス制御プロトコルデータユニットＭＡＣ  ＰＤＵによって送信された前記ネットワーク機器の状態指示情報を受信することに用いられる。
【００９６】
一選択的な実施例として、前記状態指示情報は前記ネットワーク機器が遮断された時間長情報を指示するための第一時間指示情報を含む。
【００９７】
一選択的な実施例として、前記状態指示情報は、前記装置５００が前記状態指示情報を受信した時の第一時間帯の後に前記ネットワーク機器を遮断するように指示するための第二時間指示情報を更に含む。
【００９８】
一選択的な実施例として、前記装置５００はアイドル状態の装置であり、又は、前記装置５００は非アクティブ状態の装置である。
【００９９】
ここの装置５００は機能モジュールの形式で具現されると理解すべきである。ここの専門用語「モジュール」とは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウェアプログラムを実行するためのプロセッサ（例えば共有プロセッサ、個別プロセッサ又はグループプロセッサ等）及びメモリ、結合論理回路及び／又は説明された機能をサポートするほかの適切なアセンブリを意味してもよい。一選択的な例では、当業者は、具体的に、装置５００が上記実施例における端末装置であってもよく、装置５００が上記方法２００実施例における端末装置に対応する各プロセス及び／又はステップを実行することに用いることができると理解されてもよく、重複を避けるために、詳細な説明は省略する。
【０１００】
図６に本発明の実施例に係る情報伝送装置６００の模式図を示し、該装置は例えば方法４００における端末装置であってもよく、該装置６００は、
第一物理リソースブロックにおいてネットワーク機器から送信された第一情報を受信したかどうかによって前記ネットワーク機器の状態を決定することに用いられ、前記ネットワーク機器の状態は遮断状態及び起動状態を含む決定モジュール６１０と、
前記ネットワーク機器が前記遮断状態にあると決定する場合、セル選択を行うための選択モジュール６２０と、を含む。
【０１０１】
一選択的な実施例として、前記決定モジュール６１０は、具体的に、前記装置６００が前記第一物理リソースブロックにおいて前記第一情報を受信していない場合、前記ネットワーク機器が遮断状態にあると決定することに用いられる。
【０１０２】
一選択的な実施例として、前記決定モジュール６１０は、具体的に、更に、ページングメッセージを受信する時点で前記第一物理リソースブロックにおいて前記第一情報を受信していない場合、前記ネットワーク機器が前記遮断状態にあると決定することに用いられる。
【０１０３】
ここの装置６００が機能モジュールの形式で具現されると理解すべきである。ここの専門用語「モジュール」とはＡＳＩＣ、電子回路、１つ又は複数のソフトウェア又はファームウェアプログラムを実行するためのプロセッサ（例えば共有プロセッサ、個別プロセッサ又はグループプロセッサ等）及びメモリ、結合論理回路及び／又は説明された機能をサポートするほかの適切なアセンブリを意味してもよい。一選択的な例では、当業者は、具体的に、装置６００が上記実施例方法４００における端末装置であってもよく、装置６００が上記方法実施例における端末装置に対応する各プロセス及び／又はステップを実行することに用いることができると理解されてもよく、重複を避けるために、詳細な説明は省略する。
【０１０４】
図７に本発明の実施例に係る情報伝送装置７００の模式図を示し、該装置は例えば方法１００におけるネットワーク機器であってもよく、該装置７００は、
端末装置に前記装置の状態指示情報を送信することに用いられ、前記状態指示情報は前記装置が起動状態から遮断状態に変換するように指示することに用いられ、それにより前記端末装置が前記状態指示情報に基づいてセル選択を行う送信モジュール７１０と、
前記装置７００を前記起動状態から前記遮断状態に変換するための変換モジュール７２０と、を含む。
【０１０５】
一選択的な実施例として、前記送信モジュール７１０は、具体的に、ページングメッセージを送信する時点で前記端末装置に前記状態指示情報を送信することに用いられる。
【０１０６】
一選択的な実施例として、前記装置７００は周期的に又はページングメッセージを送信する時点でタイマーを起動するための起動モジュールを更に含み、送信モジュール７１０は、具体的に、更に、前記タイマーがタイムアウトになると、前記端末装置に前記状態指示情報を送信することに用いられる。
【０１０７】
一選択的な実施例として、前記送信モジュール７１０は、具体的に、ページングメッセージによって前記端末装置に前記状態指示情報を送信することに用いられる。
【０１０８】
一選択的な実施例として、前記送信モジュール７１０は、具体的に、更に、システムメッセージによって前記端末装置に前記状態指示情報を送信することに用いられる。
【０１０９】
一選択的な実施例として、前記送信モジュール７１０は、更に、システムメッセージによって前記端末装置に前記状態指示情報を送信する前に、前記端末装置にページングメッセージを送信することに用いられ、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、前記送信モジュール７１０は、具体的に、更に、前記変更指示情報に基づいて前記システムメッセージによって前記端末装置に前記状態指示情報を送信することに用いられる。
【０１１０】
一選択的な実施例として、前記送信モジュール７１０は、具体的に、更に、物理チャネル又はメディアアクセス制御プロトコルデータユニットＭＡＣ  ＰＤＵによって前記端末装置に前記状態指示情報を送信することに用いられる。
【０１１１】
一選択的な実施例として、前記状態指示情報は前記装置７００が遮断された時間長情報を指示するための第一時間指示情報を含む。
【０１１２】
一選択的な実施例として、前記状態指示情報は、前記端末装置が前記状態指示情報を受信した時の第一時間帯の後に前記装置７００を遮断するように指示するための第二時間指示情報を更に含む。
【０１１３】
一選択的な実施例として、前記端末装置はアイドル状態の端末装置であり、又は、前記端末装置は非アクティブ状態の端末装置である。
【０１１４】
ここの装置７００が機能モジュールの形式で具現されると理解すべきである。ここの専門用語「モジュール」とはＡＳＩＣ、電子回路、１つ又は複数のソフトウェア又はファームウェアプログラムを実行するためのプロセッサ（例えば共有プロセッサ、個別プロセッサ又はグループプロセッサ等）及びメモリ、結合論理回路及び／又は説明された機能をサポートするほかの適切なアセンブリを意味してもよい。一選択的な例では、当業者は、具体的に、装置７００が上記方法１００におけるネットワーク機器であってもよく、装置７００が上記方法１００実施例におけるネットワーク機器に対応する各プロセス及び／又はステップを実行することに用いることができると理解されてもよく、重複を避けるために、詳細な説明は省略する。
【０１１５】
図８に本発明の実施例に係る情報伝送装置８００の模式図を示し、該装置は例えば方法３００におけるネットワーク機器であってもよく、該装置８００は、
前記装置８００が起動状態にあるとき、前記第一リソースブロックにおいて前記端末装置に第一情報を送信するための送信モジュール８１０と、
前記装置８００が遮断状態にあるとき、前記第一リソースブロックにおいて前記端末装置に前記第一情報を送信しないと決定するための決定モジュール８２０と、を含む。
【０１１６】
一選択的な実施例として、前記送信モジュール８１０は、具体的に、前記装置８００が起動状態にあるとき、ページングメッセージを送信する時点で前記第一リソースブロックにおいて前記端末装置に前記第一情報を送信することに用いられ、前記決定モジュール８２０は、具体的に、前記装置８００が遮断状態にあるとき、前記ページングメッセージを送信する時点で前記第一リソースブロックにおいて前記端末装置に前記第一情報を送信しないと決定することに用いられる。
【０１１７】
ここの装置８００が機能モジュールの形式で具現されると理解すべきである。ここの専門用語「モジュール」とはＡＳＩＣ、電子回路、１つ又は複数のソフトウェア又はファームウェアプログラムを実行するためのプロセッサ（例えば共有プロセッサ、個別プロセッサ又はグループプロセッサ等）及びメモリ、結合論理回路及び／又は説明された機能をサポートするほかの適切なアセンブリを意味してもよい。一選択的な例では、当業者は、具体的に、装置８００が上記方法３００におけるネットワーク機器であってもよく、装置８００が上記方法実施例におけるネットワーク機器に対応する各プロセス及び／又はステップを実行することに用いることができると理解されてもよく、重複を避けるために、詳細な説明は省略する。
【０１１８】
図９は本発明の実施例に係る情報伝送システム９００の模式的な構造図である。該システム９００は装置５００及び装置７００を備える。
【０１１９】
図１０は本発明の実施例に係る情報伝送システム１０００の模式的な構造図である。該システム１０００は装置６００及び装置８００を備える。
【０１２０】
図１１に本発明の実施例に係る情報伝送装置１１００を示す。該装置１１００は例えば方法２００における端末装置であってもよく、該装置１１００は受信機１１１０、プロセッサ１１２０、送信機１１３０、メモリ１１４０及びバスシステム１１５０を備える。受信機１１１０、プロセッサ１１２０、送信機１１３０及びメモリ１１４０がバスシステム１１５０によって接続され、該メモリ１１４０は命令を記憶することに用いられ、該プロセッサ１１２０は該メモリ１１４０に記憶される命令を実行することにより、信号を受信するように該受信機１１１０を制御し、命令を送信するように該送信機１１３０を制御することに用いられる。
【０１２１】
受信機１１１０は前記ネットワーク機器から送信された状態指示情報を受信することに用いられ、前記状態指示情報は前記ネットワーク機器が起動状態から遮断状態に変換するように指示することに用いられ、プロセッサ１１２０は前記状態指示情報に基づいてセル選択を行うことに用いられる。
【０１２２】
一選択的な実施例として、前記受信機１１１０は、具体的に、ページングメッセージを受信する時点で前記ネットワーク機器から送信された前記状態指示情報を受信することに用いられる。
【０１２３】
一選択的な実施例として、前記プロセッサ１１２０は、更に、周期的に又はページングメッセージを受信する時点でタイマーを起動することに用いられ、前記受信機１１１０は、具体的に、更に、前記タイマーがタイムアウトになると、前記ネットワーク機器から送信された前記状態指示情報を受信することに用いられる。
【０１２４】
一選択的な実施例として、プロセッサ１１２０は、具体的に、更に、タイマーがタイムアウトになると、前記タイマーのタイムアウトになる時点が前記状態指示情報を受信する前記第一受信時点であると決定することに用いられる。
【０１２５】
一選択的な実施例として、受信機１１１０は、具体的に、ネットワーク機器がページングメッセージによって送信された前記状態指示情報を受信することに用いられる。
【０１２６】
一選択的な実施例として、受信機１１１０は、具体的に、更に、ネットワーク機器からシステムメッセージによって送信された前記状態指示情報を受信することに用いられる。
【０１２７】
一選択的な実施例として、受信機１１１０は、更に、ネットワーク機器からシステムメッセージによって送信された前記状態指示情報を受信する前に、前記ネットワーク機器から送信されたページングメッセージを受信することに用いられ、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、前記受信機１１１０は、具体的に、更に、前記変更指示情報に基づいてネットワーク機器からシステムメッセージによって送信された前記ネットワーク機器の状態指示情報を受信することに用いられる。
【０１２８】
一選択的な実施例として、受信機１１１０は、具体的に、更に、前記ネットワーク機器が物理チャネル又はメディアアクセス制御プロトコルデータユニットＭＡＣ  ＰＤＵによって送信された前記ネットワーク機器の状態指示情報を受信することに用いられる。
【０１２９】
一選択的な実施例として、前記状態指示情報は前記ネットワーク機器が遮断された時間長情報を指示するための第一時間指示情報を含む。
【０１３０】
一選択的な実施例として、前記状態指示情報は前記装置１１００が前記状態指示情報を受信した時の第一時間帯の後に前記ネットワーク機器を遮断するように指示するための第二時間指示情報を更に含む。
【０１３１】
一選択的な実施例として、前記装置１１００はアイドル状態の装置であり、又は、前記装置１１００は非アクティブ状態の装置である。
【０１３２】
具体的に、装置１１００は上記実施例における端末装置であってもよく、且つ、上記方法実施例における端末装置に対応する各ステップ及び／又はプロセスを実行することに用いることができると理解すべきである。選択的に、該メモリ１１４０は読み出し専用メモリ及びランダムアクセスメモリを含んでもよく、且つ、プロセッサに命令及びデータを供給する。メモリの一部は更に不揮発性ランダムアクセスメモリを含んでもよい。例えば、メモリに更に装置タイプの情報が記憶されてもよい。該プロセッサ１１２０はメモリに記憶される命令を実行することに用いることができ、且つ、該プロセッサが該命令を実行するとき、該プロセッサは上記方法２００実施例における端末装置に対応する各ステップを実行することができる。
【０１３３】
図１２に本発明の実施例に係る情報伝送装置１２００を示す。該装置は方法４００における端末装置であってもよく、該装置１２００は受信機１２１０、プロセッサ１２２０、送信機１２３０、メモリ１２４０及びバスシステム１２５０を備える。受信機１２１０、プロセッサ１２２０、送信機１２３０及びメモリ１２４０がバスシステム１２５０によって接続され、該メモリ１２４０は命令を記憶することに用いられ、該プロセッサ１２２０は該メモリ１２４０に記憶される命令を実行することにより、信号を受信するように該受信機１２１０を制御して、命令を送信するように該送信機１２３０を制御することに用いられる。
【０１３４】
プロセッサ１２２０は第一物理リソースブロックにおいてネットワーク機器から送信された第一情報を受信したかどうかによって前記ネットワーク機器の状態を決定することに用いられ、前記ネットワーク機器の状態は遮断状態及び起動状態を含み、前記ネットワーク機器が前記遮断状態にあると決定する場合、セル選択を行う。
【０１３５】
一選択的な実施例として、プロセッサ１２２０は、具体的に、前記装置１２００が前記第一物理リソースブロックにおいて前記第一情報を受信していない場合、前記ネットワーク機器が遮断状態にあると決定することに用いられる。
【０１３６】
一選択的な実施例として、プロセッサ１２２０は、具体的に、更に、ページングメッセージを受信する時点で前記第一物理リソースブロックにおいて前記第一情報を受信していない場合、前記ネットワーク機器が前記遮断状態にあると決定することに用いられる。
【０１３７】
具体的に、装置１２００は上記実施例における端末装置であってもよく、且つ、上記方法実施例における端末装置に対応する各ステップ及び／又はプロセスを実行することに用いることができると理解すべきである。選択的に、該メモリ１２４０は読み出し専用メモリ及びランダムアクセスメモリを含んでもよく、且つ、プロセッサに命令及びデータを供給する。メモリの一部は更に不揮発性ランダムアクセスメモリを含んでもよい。例えば、メモリに更に装置タイプの情報が記憶されてもよい。該プロセッサ１２２０はメモリに記憶される命令を実行することに用いることができ、且つ、該プロセッサが該命令を実行するとき、該プロセッサは上記方法実施例における端末装置に対応する各ステップを実行することができる。
【０１３８】
図１３に本発明の実施例に係る情報伝送装置１３００を示す。該装置は例えば方法１００におけるネットワーク機器であってもよく、該装置１３００は受信機１３１０、プロセッサ１３２０、送信機１３３０、メモリ１３４０及びバスシステム１３５０を備える。受信機１３１０、プロセッサ１３２０、送信機１３３０及びメモリ１３４０がバスシステム１３５０によって接続され、該メモリ１３４０は命令を記憶することに用いられ、該プロセッサ１３２０は該メモリ１３４０に記憶される命令を実行することにより、信号を受信するように該受信機１３１０を制御して、命令を送信するように該送信機１３３０を制御することに用いられる。
【０１３９】
送信機１３３０は端末装置に前記装置の状態指示情報を送信することに用いられ、前記状態指示情報は前記装置が起動状態から遮断状態に変換するように指示することに用いられ、それにより前記端末装置が前記状態指示情報に基づいてセル選択を行い、プロセッサ１３２０は前記装置１３００を前記起動状態から前記遮断状態に変換することに用いられる。
【０１４０】
一選択的な実施例として、前記送信機１３３０は、具体的に、ページングメッセージを送信する時点で前記端末装置に前記状態指示情報を送信することに用いられる。
【０１４１】
一選択的な実施例として、プロセッサ１３２０は、更に、周期的に又はページングメッセージを送信する時点でタイマーを起動することに用いられ、送信機１３３０は、具体的に、更に、前記タイマーがタイムアウトになると、前記端末装置に前記状態指示情報を送信することに用いられる。
【０１４２】
一選択的な実施例として、プロセッサ１３２０は、具体的に、更に、タイマーがタイムアウトになると、前記タイマーのタイムアウトになる時点が前記状態指示情報を送信する第一送信時点であると決定することに用いられる。
【０１４３】
一選択的な実施例として、送信機１３３０は、具体的に、更に、ページングメッセージによって前記端末装置に前記状態指示情報を送信することに用いられる。
【０１４４】
一選択的な実施例として、送信機１３３０は、具体的に、更に、システムメッセージによって前記端末装置に前記状態指示情報を送信することに用いられる。
【０１４５】
一選択的な実施例として、送信機１３３０は、更に、システムメッセージによって前記端末装置に前記状態指示情報を送信する前に、前記端末装置にページングメッセージを送信することに用いられ、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、前記送信機１３３０は、具体的に、更に、前記変更指示情報に基づいて前記システムメッセージによって前記端末装置に前記状態指示情報を送信することに用いられる。
【０１４６】
一選択的な実施例として、送信機１３３０は、具体的に、更に、物理チャネル又はメディアアクセス制御プロトコルデータユニットＭＡＣ  ＰＤＵによって前記端末装置に前記状態指示情報を送信することに用いられる。
【０１４７】
一選択的な実施例として、前記状態指示情報は前記装置１３００が遮断された時間長情報を指示するための第一時間指示情報を含む。
【０１４８】
一選択的な実施例として、前記状態指示情報は前記端末装置が前記状態指示情報を受信した時の第一時間帯の後に前記装置１３００を遮断するように指示するための第二時間指示情報を更に含む。
【０１４９】
一選択的な実施例として、前記端末装置はアイドル状態の端末装置であり、又は、前記端末装置は非アクティブ状態の端末装置である。
【０１５０】
具体的に、装置１３００は上記実施例におけるネットワーク機器であってもよく、且つ、上記方法実施例におけるネットワーク機器に対応する各ステップ及び／又はプロセスを実行することに用いることができると理解すべきである。選択的に、該メモリ１３４０は読み出し専用メモリ及びランダムアクセスメモリを含んでもよく、且つ、プロセッサに命令及びデータを供給する。メモリの一部は更に不揮発性ランダムアクセスメモリを含んでもよい。例えば、メモリに更に装置タイプの情報が記憶されてもよい。該プロセッサ１３２０はメモリに記憶される命令を実行することに用いることができ、且つ、該プロセッサが該命令を実行するとき、該プロセッサは上記方法実施例におけるネットワーク機器に対応する各ステップを実行することができる。
【０１５１】
図１４に本発明の実施例に係る情報伝送装置１４００を示す。該装置は例えば方法３００におけるネットワーク機器であってもよく、該装置１４００は受信機１４１０、プロセッサ１４２０、送信機１４３０、メモリ１４４０及びバスシステム１４５０を備える。受信機１４１０、プロセッサ１４２０、送信機１４３０及びメモリ１４４０がバスシステム１４５０によって接続され、該メモリ１４４０は命令を記憶することに用いられ、該プロセッサ１４２０は該メモリ１４４０に記憶される命令を実行することにより、信号を受信するように該受信機１４１０を制御して、命令を送信するように該送信機１４３０を制御することに用いられる。
【０１５２】
送信機１４３０は前記装置１４００が起動状態にあるとき、前記第一リソースブロックにおいて前記端末装置に第一情報を送信することに用いられ、プロセッサ１４２０は前記装置１４００が遮断状態にあるとき、前記第一リソースブロックにおいて前記端末装置に前記第一情報を送信しないと決定することに用いられる。
【０１５３】
一選択的な実施例として、前記送信機１４３０は、具体的に、前記装置８００が起動状態にあるとき、ページングメッセージを送信する時点で前記第一リソースブロックにおいて前記端末装置に前記第一情報を送信することに用いられ、前記プロセッサ１４２０は、具体的に、前記装置８００が遮断状態にあるとき、前記ページングメッセージを送信する時点で前記第一リソースブロックにおいて前記端末装置に前記第一情報を送信しないと決定することに用いられる。
【０１５４】
具体的に、装置１４００は上記実施例におけるネットワーク機器であってもよく、且つ、上記方法実施例におけるネットワーク機器に対応する各ステップ及び／又はプロセスを実行することに用いることができると理解すべきである。選択的に、該メモリ１４４０は読み出し専用メモリ及びランダムアクセスメモリを含んでもよく、且つ、プロセッサに命令及びデータを供給する。メモリの一部は更に不揮発性ランダムアクセスメモリを含んでもよい。例えば、メモリに更に装置タイプの情報が記憶されてもよい。該プロセッサ１４２０はメモリに記憶される命令を実行することに用いることができ、且つ、該プロセッサが該命令を実行するとき、該プロセッサは上記方法実施例におけるネットワーク機器に対応する各ステップを実行することができる。
【０１５５】
本発明の実施例において、プロセッサ１１２０、プロセッサ１２２０、プロセッサ１３２０及びプロセッサ１４２０は中央処理ユニット（Ｃｅｎｔｒａｌ  Ｐｒｏｃｅｓｓｉｎｇ  Ｕｎｉｔ、ＣＰＵ）であってもよいし、プロセッサは更にほかの汎用プロセッサ、デジタルシグナルプロセッサ（ＤＳＰ）、特定用途向け集積回路（ＡＳＩＣ）、フィールド・プログラマブル・ゲート・アレイ（ＦＰＧＡ）又はほかのプログラマブルロジックデバイス、個別ゲート又はトランジスタロジックデバイス、個別ハードウェアアセンブリ等であってもよいと理解すべきである。汎用プロセッサはマイクロプロセッサであってもよいし、任意の通常のプロセッサ等であってもよい。
【０１５６】
本明細書における専門用語「及び／又は」は関連オブジェクトを説明する関連関係であり、３つの関係が存在してもよいと示し、例えば、「Ａ及び／又はＢ」は「Ａが独立して存在する」、「Ａ及びＢが同時に存在する」、「Ｂが独立して存在する」の３つの状況と示してもよいと理解すべきである。また、本明細書における文字「／」は一般的に前後の関連オブジェクトが「又は」関係であると示される。
【０１５７】
本発明の様々な実施例では、上記各過程の番号は実行順序を示せず、各過程の実行順序はその機能及び内部ロジックによって決定されるべきであり、本発明の実施例の実施過程を制限するためのものではないと理解すべきである。
【０１５８】
当業者であれば、本明細書に開示された実施例に説明される各例のユニット及びアルゴリズムステップを参照して、電子ハードウェア、又はコンピュータソフトウェアと電子ハードウェアとの組み合わせによって実現できると理解される。これらの機能はハードウェアそれともソフトウェアの方式で実行するかは、技術案の特定アプリケーション及び設計された制約条件によって決定される。当業者は各特定アプリケーションに対して様々な方法で説明された機能を実現することができるが、このような実現は本発明の範囲を超えると見なされるべきではない。
【０１５９】
当業者は、説明の都合上、上記説明されたシステム、装置及びユニットの具体的な動作過程が上記方法実施例における対応する過程を参照してもよいと明確に理解され、詳細な説明は省略する。
【０１６０】
本発明に係るいくつかの実施例において、開示されたシステム、装置及び方法がほかの方式で実現されてもよいと理解すべきである。例えば、以上に説明された装置実施例は単なる模式的なものであり、例えば、前記ユニットの分割は単なる論理的機能の分割であり、実際に実現する場合に別の分割方式でもよく、例えば複数のユニット又はアセンブリを別のシステムに結合又は統合することができ、又はいくるかの特徴を省略してもよいし、実行しなくてもよい。また、表示又は検討された相互間の結合又は直接結合又は通信接続がいくつかのインターフェース、装置又はユニットによる間接結合又は通信接続であってもよく、電気、機械又はほかのタイプであってもよい。
【０１６１】
前記分離部材として説明されたユニットは物理的に分離されるものであってもよいし、そうでないものであってもよく、ユニットとして表示される部材は物理ユニットであってもよいし、そうでなくてもよく、つまり、一箇所に位置してもよいし、複数のネットワークユニットに分布してもよい。実際の必要に応じて、そのユニットの一部又は全部を選択して本実施例案の目的を実現してもよい。
【０１６２】
また、本発明の各実施例における各機能ユニットは１つの処理ユニットに統合されてもよく、各ユニットは独立して物理的に存在してもよく、２つ又は２つ以上のユニットは１つのユニットに統合されてもよい。
【０１６３】
前記機能がソフトウェア機能ユニットの形式で実現されて、独立した製品として販売又は使用されるとき、１つのコンピュータ可読記憶媒体に記憶されてもよい。このような理解の上で、本発明の技術案は本質的に、又は従来技術に貢献した部分又は該技術案の一部はソフトウェア製品の形式で具現されてもよく、該コンピュータソフトウェア製品は、１つの記憶媒体に記憶されてもよく、一台のコンピュータ機器（パーソナルコンピュータ、サーバ、又はネットワーク機器等であってもよい）で本発明の各実施例に記載の方法のステップの全部又は一部を実行するための複数の命令を含む。上記記憶媒体は、ＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１６４】
以上の説明は本発明の具体的な実施形態であるが、本発明の保護範囲を制限するためのものではなく、当業者が本発明に開示された技術的範囲内に容易に想到しうる変更又は置換は、いずれも本発明の保護範囲内に含まれるべきである。従って、本発明の保護範囲は前記特許請求の保護範囲に準ずるべきである。
【図１】
2019532526.tif 000003
【図２】
2019532526.tif 000004
【図３】
2019532526.tif 000005
【図４】
2019532526.tif 000006
【図５】
2019532526.tif 000007
【図６】
2019532526.tif 000008
【図７】
2019532526.tif 000009
【図８】
2019532526.tif 000010
【図９】
2019532526.tif 000011
【図１０】
2019532526.tif 000012
【図１１】
2019532526.tif 000013
【図１２】
2019532526.tif 000014
【図１３】
2019532526.tif 000015
【図１４】
2019532526.tif 000016
【手続補正書】
【提出日】令和1年8月30日(2019.8.30)
【手続補正１】
【補正対象書類名】明細書
【補正対象項目名】００３８
【補正方法】変更
【補正の内容】
【００３８】
第四態様の第一可能な実現方式では、前記ネットワーク機器が起動状態にあるとき、前記ネットワーク機器が前記第一リソースブロックにおいて前記端末装置に第一情報を送信することは、前記ネットワーク機器が起動状態にあるとき、ページングメッセージを送信する時点で前記第一リソースブロックにおいて前記端末装置に前記第一情報を送信することを含み、前記ネットワーク機器が遮断状態にあるとき、前記ネットワーク機器が前記第一リソースブロックにおいて前記端末装置に前記第一情報を送信しないと決定することは、前記ネットワーク機器が遮断状態にあるとき、前記ページングメッセージを送信する時点で前記ネットワーク機器が前記第一リソースブロックにおいて前記端末装置に前記第一情報を送信しないと決定することを含む。
【手続補正２】
【補正対象書類名】明細書
【補正対象項目名】００７２
【補正方法】変更
【補正の内容】
【００７２】
更に、プロトコルによって、ネットワーク機器及び端末装置のタイマーの時間長を規定してもよく、又はネットワーク機器が端末装置のためにタイマーの時間長を設定してもよい。端末装置のタイマーを周期的に起動してもよく、タイマーがタイムアウトになる時点は端末装置が状態指示情報を受信する第一受信時点であると決定し、又は、ページングメッセージを受信する時点でタイマーを起動し、タイマーがタイムアウトになる時点は状態指示情報を受信する第一受信時点である。ネットワーク機器のタイマーを周期的に起動してもよく、タイマーがタイムアウトになる時点はネットワーク機器が状態指示情報を送信する第一送信時点であると決定し、又は、ページングメッセージを送信する時点でタイマーを起動し、タイマーがタイムアウトになる時点は状態指示情報を送信する第一送信時点である。
【手続補正３】
【補正対象書類名】明細書
【補正対象項目名】００７７
【補正方法】変更
【補正の内容】
【００７７】
第三実現方式では、前記ネットワーク機器は端末装置にページングメッセージを送信し、前記ページングメッセージにシステムメッセージの変更指示情報を含めており、前記変更指示情報は前記システムメッセージに前記ネットワーク機器の状態指示情報を含めていることを指示することに用いられ、又は、前記変更指示情報は前記システムメッセージを既に変更したことを指示することに用いられ、次に前記ネットワーク機器は前記端末装置に変更後のシステムメッセージを送信し、該システムメッセージに状態指示情報を含めており、端末装置はネットワーク機器から送信されたページングメッセージを受信し、ページングメッセージにおけるシステムメッセージの変更指示情報に基づいてシステムメッセージを既に変更したと決定し、又はシステムメッセージに状態指示情報を含めていると決定し、次に端末装置は変更後のシステムメッセージを受信し、システムメッセージにおいて状態指示情報を決定する。具体的に、ネットワーク機器はページングメッセージを送信する時点で端末装置に変更指示情報を含めているページングメッセージを送信することができ、端末装置はページングメッセージを受信する時点で変更指示情報を含めているページングメッセージを受信し、ネットワーク機器はシステムメッセージを送信する時点で端末装置に状態指示情報を含めているシステムメッセージを送信することができ、端末装置はシステムメッセージを受信する時点でネットワーク機器から送信された状態指示情報を含めているシステムメッセージを受信する。選択的に、ネットワーク機器は第一タイマーがタイムアウトになると、端末装置に変更指示情報を含めているページングメッセージを送信し、端末装置は第二タイマーがタイムアウトになると、ネットワーク機器から送信された変更指示情報を含めているページングメッセージを受信し、ネットワーク機器は第三タイマーがタイムアウトになると、端末装置に状態指示情報を含めているシステムメッセージを送信し、端末装置は第四タイマーがタイムアウトになると、ネットワーク機器から送信された状態指示情報を含めているシステムメッセージを受信する。無論、第一タイマー及び第二タイマーに設定された時間長は同じであってもよいし、異なってもよく、第三タイマー及び第四タイマーに設定された時間長は同じであってもよいし、異なってもよい。選択的に、ネットワーク機器は第一タイマーがタイムアウトになると、端末装置に変更指示情報を含めているページングメッセージを送信することができ、端末装置は第二タイマーがタイムアウトになると、ネットワーク機器から送信された変更指示情報を含めているページングメッセージを受信することができ、無論、第一タイマー及び第二タイマーに設定された時間長は同じであってもよいし、異なってもよく、ネットワーク機器はシステムメッセージを送信する時点で端末装置に状態指示情報を含めているシステムメッセージを送信し、端末装置はシステムメッセージを受信する時点でネットワーク機器から送信された状態指示情報を含めているシステムメッセージを受信する。選択的に、ネットワーク機器はページングメッセージを送信する時点で変更指示情報を含めているページングメッセージを送信することができ、端末装置もページングメッセージを受信する時点で変更指示情報を含めているページングメッセージを受信することができ、ネットワーク機器はページングメッセージを送信する時点で状態指示情報を含めているシステムメッセージを送信することができ、端末装置はページングメッセージを受信する時点で状態指示情報を含めているシステムメッセージを受信することができる。
【手続補正４】
【補正対象書類名】明細書
【補正対象項目名】００８５
【補正方法】変更
【補正の内容】
【００８５】
一選択的な実施例として、前記端末装置はアイドル状態の端末装置であり、又は前記端末装置は非アクティブ状態の端末装置であり、データ接続状態にある可能性のある端末装置及びネットワーク機器は接続状態の端末装置との間のデータシグナリングインタラクションによって端末装置に通知するが、アイドル状態又は非アクティブ状態の端末装置に対して、ネットワーク機器は端末装置に通知できず、従って、本発明の実施例においてページングメッセージに状態指示情報を含め、又はシステムメッセージに状態指示情報を含め、又は物理チャネルによって状態指示情報を含め、又はＭＡＣ  ＰＤＵによって状態指示情報を含めることによって、アイドル状態又は非アクティブ状態にある端末装置にネットワーク機器の状態を通知し、このように、アイドル状態又は非アクティブ状態の端末装置はほかのセルに存在するように再選択し、更にデータ伝送を通常行うように確保することができる。
【手続補正５】
【補正対象書類名】特許請求の範囲
【補正対象項目名】全文
【補正方法】変更
【補正の内容】
【特許請求の範囲】
【請求項１】
情報伝送方法であって、
端末装置がネットワーク機器から送信された状態指示情報を受信し、前記状態指示情報が、前記ネットワーク機器が起動状態から遮断状態に変換するように指示することに用いられることと、
前記端末装置が前記状態指示情報に基づいてセル選択を行うことと、を含むことを特徴とする情報伝送方法。
【請求項２】
前記端末装置が前記ネットワーク機器から送信された状態指示情報を受信することは、
前記端末装置がページングメッセージを受信する時点で前記ネットワーク機器から送信された前記状態指示情報を受信することを含み、
或いは、
前記端末装置が前記ネットワーク機器から送信された状態指示情報を受信することは、
前記端末装置が周期的に又はページングメッセージを受信する時点でタイマーを起動し、前記タイマーがタイムアウトになると、前記端末装置が前記ネットワーク機器から送信された前記状態指示情報を受信することを含むことを特徴とする請求項１に記載の方法。
【請求項３】
前記端末装置が前記ネットワーク機器から送信された状態指示情報を受信することは、
前記端末装置がネットワーク機器からページングメッセージによって送信された前記状態指示情報を受信することを含み、
或いは、
前記端末装置が前記ネットワーク機器から送信された状態指示情報を受信することは、
前記端末装置がネットワーク機器からシステムメッセージによって送信された前記状態指示情報を受信することを含み、
前記端末装置がネットワーク機器からシステムメッセージによって送信された前記状態指示情報を受信する前に、前記方法は、更に、
前記端末装置が前記ネットワーク機器から送信されたページングメッセージを受信することを含み、前記ページングメッセージにシステムメッセージの変更指示情報を含めており、前記変更指示情報は前記システムメッセージに前記状態指示情報を含めていることを指示することに用いられ、又は、前記変更指示情報は前記システムメッセージを既に変更したことを指示することに用いられ、
前記端末装置がネットワーク機器からシステムメッセージによって送信された前記ネットワーク機器の状態指示情報を受信することは、
前記端末装置が前記変更指示情報に基づいてネットワーク機器からシステムメッセージによって送信された前記ネットワーク機器の状態指示情報を受信することを含み、
或いは、
前記端末装置がネットワーク機器から送信された状態指示情報を受信することは、
前記端末装置が前記ネットワーク機器から物理チャネル又はメディアアクセス制御プロトコルデータユニットＭＡＣ  ＰＤＵによって送信された前記ネットワーク機器の状態指示情報を受信することを含むことを特徴とする請求項１又は２に記載の方法。
【請求項４】
前記状態指示情報は前記ネットワーク機器が遮断された時間長情報を指示するための第一時間指示情報を含み、
前記状態指示情報は更に第二時間指示情報を含み、前記第二時間指示情報は前記端末装置が前記状態指示情報を受信した時の第一時間帯の後に前記ネットワーク機器を遮断するように指示することに用いられることを特徴とする請求項１〜３のいずれか一項に記載の方法。
【請求項５】
前記端末装置はアイドル状態の端末装置であり、又は、前記端末装置は非アクティブ状態の端末装置であることを特徴とする請求項１〜４のいずれか一項に記載の方法。
【請求項６】
情報伝送方法であって、
端末装置が第一物理リソースブロックにおいてネットワーク機器から送信された第一情報を受信したかどうかによって前記ネットワーク機器の状態を決定し、前記ネットワーク機器の状態が遮断状態及び起動状態を含むことと、
前記端末装置が、前記ネットワーク機器が前記遮断状態にあると決定する場合、前記端末装置がセル選択を行うことと、を含むことを特徴とする情報伝送方法。
【請求項７】
前記端末装置が第一物理リソースブロックにおいてネットワーク機器から送信された第一情報を受信したかどうかによって前記ネットワーク機器の状態を決定することは、
前記端末装置が前記第一物理リソースブロックにおいて前記第一情報を受信していない場合、前記端末装置が、前記ネットワーク機器が遮断状態にあると決定することを含み、
前記端末装置が前記第一物理リソースブロックにおいて前記第一情報を受信していない場合、前記端末装置が前記ネットワーク機器の遮断状態にあると決定することは、
前記端末装置がページングメッセージを受信する時点で前記第一物理リソースブロックにおいて前記第一情報を受信していない場合、前記端末装置が前記ネットワーク機器の前記遮断状態にあると決定することを含むことを特徴とする請求項６に記載の方法。
【請求項８】
情報伝送方法であって、
ネットワーク機器が端末装置に前記ネットワーク機器の状態指示情報を送信し、前記状態指示情報が、前記ネットワーク機器が起動状態から遮断状態に変換するように指示することに用いられ、それにより前記端末装置が前記状態指示情報に基づいてセル選択を行うことと、
前記ネットワーク機器が前記起動状態から前記遮断状態に変換することと、を含むことを特徴とする情報伝送方法。
【請求項９】
前記ネットワーク機器が端末装置に前記ネットワーク機器の状態指示情報を送信することは、
前記ネットワーク機器がページングメッセージを送信する時点で前記端末装置に前記状態指示情報を送信することを含み、
或いは、
前記ネットワーク機器が端末装置に前記ネットワーク機器の状態指示情報を送信することは、
前記ネットワーク機器が周期的に又はページングメッセージを送信する時点でタイマーを起動し、前記タイマーがタイムアウトになると、前記ネットワーク機器が前記端末装置に前記状態指示情報を送信することを含むことを特徴とする請求項８に記載の方法。
【請求項１０】
前記ネットワーク機器が端末装置に前記ネットワーク機器の状態指示情報を送信することは、
前記ネットワーク機器がページングメッセージによって前記端末装置に前記状態指示情報を送信することを含み、
或いは、
前記ネットワーク機器が端末装置に前記ネットワーク機器の状態指示情報を送信することは、
前記ネットワーク機器がシステムメッセージによって前記端末装置に前記状態指示情報を送信することを含み、
前記ネットワーク機器がシステムメッセージによって前記端末装置に前記状態指示情報を送信する前に、前記方法は、更に、
前記ネットワーク機器が前記端末装置にページングメッセージを送信することを含み、前記ページングメッセージにシステムメッセージの変更指示情報を含めており、前記変更指示情報は前記システムメッセージに前記ネットワーク機器の状態指示情報を含めていることを指示することに用いられ、又は、前記変更指示情報は前記システムメッセージを既に変更したことを指示することに用いられ、
前記ネットワーク機器がシステムメッセージによって前記端末装置に前記状態指示情報を送信することは、
前記ネットワーク機器が前記変更指示情報に基づいて前記システムメッセージによって前記端末装置に前記状態指示情報を送信することを含み、
或いは、
前記ネットワーク機器が端末装置に前記ネットワーク機器の状態指示情報を送信することは、
前記ネットワーク機器が物理チャネル又はメディアアクセス制御プロトコルデータユニットＭＡＣ  ＰＤＵによって前記端末装置に前記状態指示情報を送信することを含むことを特徴とする請求項８又は９に記載の方法。
【請求項１１】
前記状態指示情報は前記ネットワーク機器が遮断された時間長情報を指示するための第一時間指示情報を含み、
前記状態指示情報は更に第二時間指示情報を含み、前記第二時間指示情報は前記端末装置が前記状態指示情報を受信した時の第一時間帯の後に前記ネットワーク機器を遮断するように指示することに用いられることを特徴とする請求項８〜１０のいずれか一項に記載の方法。
【請求項１２】
情報伝送方法であって、
ネットワーク機器が起動状態にあるとき、前記ネットワーク機器が第一リソースブロックにおいて端末装置に第一情報を送信することと、
前記ネットワーク機器が遮断状態にあるとき、前記ネットワーク機器が前記第一リソースブロックにおいて前記端末装置に前記第一情報を送信しないと決定することと、を含むことを特徴とする情報伝送方法。
【請求項１３】
前記ネットワーク機器が起動状態にあるとき、前記ネットワーク機器が前記第一リソースブロックにおいて前記端末装置に第一情報を送信することは、
前記ネットワーク機器が起動状態にあるとき、ページングメッセージを送信する時点で前記第一リソースブロックにおいて前記端末装置に前記第一情報を送信することを含み、
前記ネットワーク機器が遮断状態にあるとき、前記ネットワーク機器が前記第一リソースブロックにおいて前記端末装置に前記第一情報を送信しないことは、
前記ネットワーク機器が遮断状態にあるとき、前記ページングメッセージを送信する時点で前記ネットワーク機器が前記第一リソースブロックにおいて前記端末装置に前記第一情報を送信しないことを含むことを特徴とする請求項１２に記載の方法。
【請求項１４】
情報伝送装置であって、
プロセッサとメモリを備え、
前記メモリは命令を記憶し、
前記命令を実行することにより、前記プロセッサは請求項１〜５のいずれか一項に記載の方法を実行し、又は、請求項６〜７のいずれか一項に記載の方法を実行する情報伝送装置。
【請求項１５】
情報伝送装置であって、
プロセッサとメモリを備え、
前記メモリは命令を記憶し、
前記命令を実行することにより、前記プロセッサは請求項８〜１１のいずれか一項に記載の方法を実行し、又は、請求項１２〜１３のいずれか一項に記載の方法を実行する情報伝送装置。
【国際調査報告】
2019532526.tif 000017
2019532526.tif 000018
2019532526.tif 000019
2019532526.tif 000020
2019532526.tif 000021
2019532526.tif 000022